(57)【特許請求の範囲】
【請求項１】
入力電圧が与えられる入力端子と出力電圧をディスプレイパネルの垂直ラインへ出力する出力端子とを有し、且つ、前記入力電圧に応じて前記出力電圧を供給する出力モードと、前記入力電圧の電圧値が変更される遷移モードとを有するディスプレイ駆動回路であって、
前記入力端子に接続された第１入力ノードと、第２入力ノードと、第１出力ノードとを有し、前記第１および第２入力ノードの各々に与えられる電圧の差に応じた第１電圧を前記第１出力ノードから出力する差動増幅部と、
前記差動増幅部の第１出力ノードに接続された第１供給ノードと前記差動増幅部の第２入力ノードに接続された中間ノードとの間に接続された第１容量素子と、
入出力ノードと、第１基準ノードと前記入出力ノードとの間に接続された第１駆動トランジスタと、前記入出力ノードと第２基準ノードとの間に接続された第２駆動トランジスタとを有し、前記第１および第２駆動トランジスタによって生成される出力電流を前記入出力ノードを介して前記中間ノードへ供給する出力部と、
前記出力部の入出力ノードと前記出力端子との間に接続され、且つ、前記出力モードではオンになり、前記遷移モードではオフになる出力スイッチと、
前記第１供給ノードと前記差動増幅部からの第１電圧よりもインピーダンスが低い電圧が与えられる第３基準ノードとの間に接続され、且つ、前記出力モードではオフになり、前記遷移モードではオンになる第１供給スイッチと、
前記中間ノードと前記入力端子との間に接続され、且つ、前記出力モードではオフになり、前記遷移モードではオンになる入力スイッチと、
前記出力モードでは前記出力部に前記出力電流の供給を実行させ、前記遷移モードでは前記出力部に前記出力電流の供給を停止させる供給切替部とを備える
ことを特徴とするディスプレイ駆動回路。
【請求項２】
請求項１において、
前記差動増幅部は、さらに、第２出力ノードを有し、前記第１および第２入力ノードの各々に与えられる電圧の差に応じた第２電圧を前記第２出力ノードから出力し、
前記ディスプレイ駆動回路は、さらに、
前記差動増幅部の第２出力ノードに接続された第２供給ノードと前記中間ノードとの間に接続された第２容量素子と、
前記第２供給ノードと前記差動増幅部からの第２電圧よりもインピーダンスが低い電圧が与えられる第４基準ノードとの間に接続され、且つ、前記出力モードではオフになり、前記遷移モードではオンになる第２供給スイッチとを備える
ことを特徴とするディスプレイ駆動回路。
【請求項３】
請求項２において、
前記供給切替部は、
前記中間ノードと前記出力部の入出力ノードとの間に接続され、且つ、前記出力モードでは当該中間ノードと当該入出力ノードとを接続し、前記遷移モードでは当該中間ノードと当該入出力ノードとを非接続にする接続スイッチを含む
ことを特徴とするディスプレイ駆動回路。
【請求項４】
請求項２において、
前記第１基準ノードと前記第１駆動トランジスタとの間に接続され、且つ、第１所定電圧をゲートに受ける第１電流制限トランジスタと、
前記第２基準ノードと前記第２駆動トランジスタとの間に接続され、且つ、第２所定電圧をゲートに受ける第２電流制限トランジスタとをさらに備える
ことを特徴とするディスプレイ駆動回路。
【請求項５】
請求項２において、
前記第１駆動トランジスタのゲート電圧を制限する第１クランプ回路と、
前記第２駆動トランジスタのゲート電圧を制限する第２クランプ回路とをさらに備える
ことを特徴とするディスプレイ駆動回路。
【請求項６】
請求項２において、
前記第１供給スイッチ，第２供給スイッチ，および前記入力スイッチの各々は、前記遷移モードから前記出力モードになる前に、オンからオフになる
ことを特徴とするディスプレイ駆動回路。
【請求項７】
正極性または負極性を示す入力電圧が与えられる入力端子と第１出力電圧をディスプレイの垂直ラインに出力する出力端子とを有し、前記第１出力電圧とは逆極性の第２出力電圧を前記ディスプレイの別の垂直ラインに出力する別の出力端子と自己の出力端子とが非接続になり且つ前記入力電圧に応じて前記第１出力電圧を出力する出力モードと、前記自己の出力端子と前記別の出力端子とが接続され且つ前記入力電圧の極性が反転する遷移モードとを有するディスプレイ駆動回路であって、
前記入力端子に接続された第１入力ノードと、第２入力ノードと、第１出力ノードとを有し、前記第１および第２入力ノードの各々に与えられる電圧の差に応じた第１電圧を前記第１出力ノードから出力する差動増幅部と、
前記差動増幅部の第１出力ノードに接続された第１供給ノードと前記差動増幅部の第２入力ノードに接続された中間ノードとの間に接続された第１容量素子と、
入出力ノードと、第１基準ノードと前記入出力ノードとの間に接続された第１駆動トランジスタと、前記入出力ノードと第２基準ノードとの間に接続された第２駆動トランジスタとを有し、当該第１および第２駆動トランジスタによって生成される出力電流を前記入出力ノードを介して前記中間ノードおよび前記出力端子に供給する出力部と、
前記第１供給ノードと前記差動増幅部からの第１電圧よりもインピーダンスが低い電圧が与えられる第３基準ノードとの間に接続され、且つ、前記出力モードではオフになり、前記遷移モードではオンになる第１供給スイッチと、
前記出力モードでは前記出力部に前記出力電流の供給を実行させ、前記遷移モードでは前記出力部に前記出力電流の供給を停止させる供給切替部とを備える
ことを特徴とするディスプレイ駆動回路。
【請求項８】
請求項７において、
前記差動増幅部は、さらに、第２出力ノードを有し、前記第１および第２入力ノードの各々に与えられる電圧の差に応じた第２電圧を前記第２出力ノードから出力し、
前記ディスプレイ駆動回路は、さらに、
前記差動増幅部の第２出力ノードに接続された第２供給ノードと前記中間ノードとの間に接続された第２容量素子と、
前記第２供給ノードと前記差動増幅部からの第２電圧よりもインピーダンスが低い電圧が与えられる第４基準ノードとの間に接続され、且つ、前記出力モードではオフになり、前記遷移モードではオンになる第２供給スイッチとを備える
ことを特徴とするディスプレイ駆動回路。
【請求項９】
請求項８において、
前記供給切替部は、
前記出力部の入出力ノードと前記出力端子との間に接続され、且つ、前記出力モードでは当該入出力ノードと当該出力端子とを接続し、前記遷移モードでは当該入出力ノードと当該出力端子とを非接続にする出力スイッチと、
前記中間ノードと前記出力部の入出力ノードとの間に接続され、且つ、前記出力モードでは当該中間ノードと当該入出力ノードとを接続し、前記遷移モードでは当該中間ノードと当該入出力ノードとを非接続にする第１接続スイッチと、
前記中間ノードと前記出力端子との間に接続され、且つ、前記出力モードでは当該中間ノードと当該出力端子とを非接続にし、前記遷移モードでは当該中間ノードと当該出力端子とを接続する第２接続スイッチとを含む
ことを特徴とするディスプレイ駆動回路。
【請求項１０】
請求項８において、
前記第１および第２供給スイッチの各々は、前記遷移モードから前記出力モードになる前に、オンからオフになる
ことを特徴とするディスプレイ駆動回路。
【請求項１１】
請求項２または請求項８において、
前記供給切替部は、
前記第１駆動トランジスタのドレインと前記入出力ノードとの間に接続され、且つ、前記出力モードでは当該ドレインと当該入出力ノードとを接続し、前記遷移モードでは当該ドレインと当該入出力ノードとを非接続にする第１接続スイッチと、
前記入出力ノードと前記第２駆動トランジスタのドレインとの間に接続され、且つ、前記出力モードでは当該入出力ノードと当該ドレインとを接続し、前記遷移モードでは当該入出力ノードと当該ドレインとを非接続にする第２接続スイッチとを含む
ことを特徴とするディスプレイ駆動回路。
【請求項１２】
請求項２または請求項８において、
前記第１基準ノードには正極性の電圧が与えられ、前記第２基準ノードには負極性の電圧が与えられ、
前記第１駆動トランジスタは、前記第１基準ノードに接続されたソースと、前記入出力ノードに接続されたドレインと、前記第１出力ノードの電圧に応じた電圧を受けるゲートとを有するＰＭＯＳ型トランジスタであり、
前記第２駆動トランジスタは、前記第２基準ノードに接続されたソースと、前記入出力ノードに接続されたドレインと、前記第２出力ノードの電圧に応じた電圧を受けるゲートとを有するＮＭＯＳ型トランジスタであり、
前記差動増幅部は、
各々のソースが前記第２基準ノードに接続された第１および第２入力側トランジスタを含み、前記第１入力側トランジスタのゲートが前記第１入力ノードの電圧を受け前記第２入力側トランジスタのゲートが前記第２入力ノードの電圧を受ける第１差動入力回路と、
前記第１および第２入力側トランジスタの出力を受け且つ各々のソースが前記第１基準ノードに接続されるとともに各々のゲートが互いに接続された第１および第２出力側トランジスタを含み、前記第１出力側トランジスタのドレインは前記第１出力ノードに接続され、前記第２出力側トランジスタにおいてゲートとドレインとが接続された第１カレントミラー回路と、
各々のソースが前記第１基準ノードに接続された第３および第４入力側トランジスタを含み、前記第３入力側トランジスタのゲートが前記第１入力ノードの電圧を受け前記第４入力側トランジスタのゲートが前記第２入力ノードの電圧を受ける第２差動入力回路と、
前記第３および第４入力側トランジスタの出力を受け且つ各々のソースが前記第２基準ノードに接続されるとともに各々のゲートが互いに接続された第３および第４出力側トランジスタを含み、前記第３出力側トランジスタのドレインは前記第２出力ノードに接続され、前記第４出力側トランジスタにおいてゲートとドレインとが接続された第２カレントミラー回路とを含み、
前記供給切替部は、
前記第１出力ノードと前記第２出力ノードとの間に接続され、且つ、前記出力モードでは当該第１出力ノードと当該第２出力ノードとを接続し、前記遷移モードでは当該第１出力ノードと当該第２出力ノードとを非接続にする接続スイッチを含む
ことを特徴とするディスプレイ駆動回路。
【請求項１３】
請求項１２において、
前記差動増幅部は、さらに、
前記第１出力ノードと前記第２出力ノードとの間に並列に接続される第１のＰ型トランジスタと第１のＮ型トランジスタと、
前記第２および第４出力側トランジスタの各々のドレインの間に並列に接続される第２のＰ型トランジスタおよび第２のＮ型トランジスタとを含み、
前記接続スイッチは、
前記第１出力ノードと前記第１のＰ型トランジスタとの間に接続され、且つ、前記出力モードではオンになり、前記遷移モードではオフになる第３のＰ型トランジスタと、
前記第１のＮ型トランジスタと前記第２出力ノードとの間に接続され、且つ、前記出力モードではオンになり、前記遷移モードではオフになる第３のＮ型トランジスタとを含む
ことを特徴とするディスプレイ駆動回路。
【請求項１４】
請求項２または請求項８において、
前記第１出力ノードと前記第１供給ノードとの間に接続され、且つ、前記出力モードでは当該第１出力ノードと当該第１供給ノードとを接続し、前記遷移モードでは当該第１出力モードと当該第１供給ノードとを非接続にする第１遮断スイッチと、
前記第２出力ノードと前記第２供給ノードとの間に接続され、且つ、前記出力モードでは当該第２出力ノードと当該第２供給ノードとを接続し、前記遷移モードでは当該第２出力ノードと当該第２供給ノードとを非接続にする第２遮断スイッチとをさらに備える
ことを特徴とするディスプレイ駆動回路。
【請求項１５】
請求項２または請求項８において、
前記第３基準ノードには、前記出力モード時における前記第１供給ノードの電圧に相当する第１の安定電圧が与えられ、
前記第４基準ノードには、前記出力モード時における前記第２供給ノードの電圧に相当する第２の安定電圧が与えられる
ことを特徴とするディスプレイ駆動回路。
【請求項１６】
請求項１５において、
前記第１および第２の安定電圧を生成し、前記生成した第１の安定電圧を前記第３基準ノードに供給するとともに前記生成した第２の安定電圧を前記第４基準ノードに供給する電源供給回路をさらに備える
ことを特徴とするディスプレイ駆動回路。
【請求項１７】
請求項１６において、
前記電源供給回路は、前記第１基準ノードと前記第２基準ノードとの間に接続されたラダー抵抗を含む
ことを特徴とするディスプレイ駆動回路。
【請求項１８】
請求項１６において、
前記電源供給回路は、
所定電圧を受ける第３入力ノードと、第４入力ノードと、第３出力ノードと、第４出力ノードとを有し、前記第３および第４入力ノードの各々に与えられる電圧の差に応じた第３電圧を前記第３出力ノードから出力するとともに第４電圧を前記第４出力ノードから出力する供給用差動増幅部と、
前記第３出力ノードに接続される第３供給ノードと前記第４出力ノードに接続される第４供給ノードとの間に直列に接続され、且つ、各々を接続する接続ノードが前記第４入力ノードに接続された第３および第４容量素子と、
前記第１基準ノードと前記第２基準ノードとの間に直列に接続され、且つ、各々を接続する接続ノードが前記第３および第４容量素子の接続ノードに接続された第３および第４駆動トランジスタと、
前記第３供給ノードにおける電圧を受けて前記第１の安定電圧を出力する第１ボルテージフォロア回路と、
前記第４供給ノードにおける電圧を受けて前記第２の安定電圧を出力する第２ボルテージフォロア回路とを含む
ことを特徴とするディスプレイ駆動回路。
【請求項１９】
請求項１，２，７，８のいずれか１つにおいて、
前記供給切替部は、
前記出力モードでは、前記第１駆動トランジスタの接続状態をソースが前記第１基準ノードに接続され且つドレインが前記入出力ノードに接続された状態にするとともに、前記第２駆動トランジスタの接続状態をソースが前記第２基準ノードに接続されドレインが前記入出力ノードに接続された状態にし、
前記遷移モードでは、前記第１駆動トランジスタの接続状態をソースおよびドレインのうち少なくとも一方が非接続である状態にするとともに、前記第２駆動トランジスタの接続状態をソースおよびドレインのうち少なくとも一方が非接続である状態にする
ことを特徴とするディスプレイ駆動回路。
【請求項２０】
請求項１，２，７，８のいずれか１つにおいて、
前記第１基準ノードに与えられる電圧は、正極性を示し、
前記第２基準ノードに与えられる電圧は、負極性を示し、
前記第１駆動トランジスタは、前記第１基準ノードに接続されたソースと、前記入出力ノードに接続されたドレインと、ゲートとを有するＰ型トランジスタであり、
前記第２駆動トランジスタは、前記第２基準ノードに接続されたソースと、前記入出力ノードに接続されたドレインと、ゲートとを有するＮ型トランジスタであり、
前記供給切替部は、
前記出力モードでは前記第１駆動トランジスタのゲートに負極性の電圧を与えるとともに前記第２駆動トランジスタのゲートに正極性の電圧を与え、前記遷移モードでは前記第１駆動トランジスタのゲートに正極性の電圧を与えるとともに前記第２駆動トランジスタのゲートに負極性の電圧を与える
ことを特徴とするディスプレイ駆動回路。
【発明の詳細な説明】
【技術分野】
【０００１】
本発明は、液晶素子などの表示素子を駆動するための駆動回路に関する。
【背景技術】
【０００２】
液晶パネル等のディスプレイパネルの垂直ラインを駆動するために、ディスプレイドライバが用いられる。ディスプレイドライバの中には、垂直ラインの本数に応じた個数のディスプレイ駆動回路が搭載されている。ディスプレイ駆動回路は、表示すべき画像に対応する階調レベル（電圧値）を有する入力電圧を受けて、または、階調レベルに対応した複数のビットデータ入力を受けて、その入力電圧に応じた出力電圧を自己に対応する垂直ラインへ出力する。
【０００３】
従来のディスプレイ駆動回路として、特開２００１−１５６５５９号公報（特許文献１）が開示されている。特許文献１の図３を参照すると、このディスプレイ駆動回路は、トランジスタＭ１，Ｍ２，Ｍ３で構成されるＰ型ＭＯＳ差動入力部１と、トランジスタＭ４，Ｍ５，Ｍ６で構成されるＮ型ＭＯＳ差動入力部２と、トランジスタＭ７，Ｍ８，Ｍ９，Ｍ１０で構成されるカレントミラー回路３と、トランジスタＭ１１，Ｍ１２，Ｍ１３，Ｍ１４で構成されるカレントミラー回路４と、トランジスタＭ１５，Ｍ１６で構成されるプッシュプル出力段５と、位相補償容量Ｃ１，Ｃ２とを備え、Ｖｄｄは正側電源電圧、Ｖｓｓは負側電源電圧である。
【０００４】
特許文献１（図３）に開示されたディスプレイ駆動回路による動作について、図２５を参照しつつ、説明する。図２５には、ディスプレイ駆動回路に与えられる電圧Ｖｉｎ，位相補償容量Ｃ１，Ｃ２の接続ノードにおける電圧Ｖｃ，および垂直ラインが受ける出力電圧Ｖｏｕｔの変化の様子が示されている
遷移モードになると、ディスプレイ駆動回路の出力端子は、ディスプレイの垂直ラインと非接続になる。また、入力電圧Ｖｉｎの電圧値が変動する。位相補償容量Ｃ１，Ｃ２は、入力電圧Ｖｉｎの電圧値の変動に応じて、電荷を充放電する。図２５のように、位相補償容量Ｃ１，Ｃ２の接続ノードにおける電圧Ｖｃは、緩やかに上昇していく。この充放電の速度は、トランジスタＭ１，Ｍ６の各々に流れる電流（テール電流）の電流量に比例し、位相補償容量Ｃ１，Ｃ２の容量値に反比例する。一方、ディスプレイ駆動回路の出力端子は垂直ラインと非接続なので、垂直ラインに与えられる出力電圧Ｖｏｕｔの電圧値は、変化しない。
【０００５】
次に、出力モードになると、ディスプレイ駆動回路の出力端子と垂直ラインとが接続されて、位相補償容量Ｃ１，Ｃ２の接続ノードにおける電圧Ｖｃが、出力回路５を介して垂直ラインへ出力される。図２５のように出力電圧Ｖｏｕｔの電圧値は、電圧Ｖｃの上昇に伴って、緩やかに上昇していく。
【０００６】
なお、特許文献１の他に、特開平１１−２５９０５２号公報（特許文献２），特開２０００−２９５０４４号公報（特許文献３），特開２００３−２２８３５３号公報（特許文献４）等が開示されている。
【０００７】
また、従来のドット反転駆動方式のディスプレイドライバとして、特許第２００２−１４６５８号（特許文献５）が開示されている。特許文献５（図４）のディスプレイドライバ１０では、奇数番目の垂直ラインと偶数番目の垂直ラインとに正極性と負極性の階調電圧を互い違いに供給する。また、各々のディスプレイ駆動回路１４の間に、スイッチ１６が接続されている。このディスプレイドライバでは、スイッチ１６をオン／オフすることによって、各々の水平ラインに蓄積された電荷が分配される。このようにして、電荷の有効利用を図っている。
【０００８】
特許文献５（図４）に開示された（２ｎ−１）番目および（２ｎ）番目のディスプレイ駆動回路１４による動作について、図２６を参照しつつ、説明する（ここで、ｎは自然数である。）。図２６には、各々のディスプレイ駆動回路に与えられる入力電圧Ｖｉｎ（２ｎ−１），Ｖｉｎ（２ｎ）と、ディスプレイ駆動回路の位相補償容量に発生する電圧Ｖｃ（２ｎ−１），Ｖｃ（２ｎ）と、垂直ラインが受ける出力電圧Ｖｏｕｔ（２ｎ−１），Ｖｏｕｔ（２ｎ）の変化の様子を示している。
【０００９】
まず、ディスプレイ駆動回路１４の各々は、入力電圧Ｖｉｎ（２ｎ−１），Ｖｉｎ（２ｎ）に応じた出力電圧Ｖｏｕｔ（２ｎ−１），Ｖｏｕｔ（２ｎ）を出力している。このとき、各々のディスプレイ駆動回路の位相補償容量には、入力電圧Ｖｉｎ（２ｎ−１），Ｖｉｎ（２ｎ）に応じた電荷量の電荷が蓄積されている。
【００１０】
次に、遷移モードになると、スイッチ１６がオンになり、（２ｎ−１）番目のディスプレイ駆動回路１４の出力端子は、（２ｎ）番目のディスプレイ駆動回路１４の出力端子に接続される。また、スイッチ１５がオフになるので、各々の出力端子は、垂直ラインと非接続になる。これにより、垂直ラインの各々に蓄積された電荷が分配されて、出力電圧Ｖｏｕｔ（２ｎ−１），Ｖｏｕｔ（２ｎ）の電圧値は、中間値になる。一方、入力電圧Ｖｉｎ（２ｎ−１），Ｖｉｎ（２ｎ）の各々の極性は反転する。入力電圧Ｖｉｎ（２ｎ−１），Ｖｉｎ（２ｎ）の変動に応じて、各々のディスプレイ駆動回路１４に含まれる位相補償容量の電圧Ｖｃ（２ｎ−１），Ｖｃ（２ｎ）は、図２６のように、目標値に向かって緩やかに上昇／下降する。
【００１１】
次に、出力モードになると、スイッチ１６がオフになりスイッチ１５がオンになって、ディスプレイ駆動回路１４の出力端子が垂直ラインに接続されて、位相補償容量の電圧Ｖｃ（２ｎ−１），Ｖｃ（２ｎ）が出力回路を介して出力される。図２６のように、出力電圧Ｖｏｕｔ（２ｎ−１），Ｖｏｕｔ（２ｎ）の電圧値は、電圧Ｖｃ（２ｎ−１），Ｖｃ（２ｎ）の上昇／下降に伴って、目標値に向かって緩やかに上昇／下降していく。
【００１２】
なお、特許文献５の他に、特許第３５８６９９８号公報（特許文献６），特許第３０６３６７０号（特許文献７），特開２０００−３９８７０号公報（特許文献８），特開２０００−２２１９３２号公報（特許文献９），特開平１０−１３３１７４号公報（特許文献１０），特開平１０−３０１５３７号公報（特許文献１１，特開２０００−３９８７０号公報（特許文献１２），特開２０００−２２１９３２号公報（特許文献１３），米国特許第６，６５０，３１２明細書（特許文献１４），米国特許第６，１８４，８５５明細書（特許文献１５）等が開示されている。
【特許文献１】特開２００１−１５６５５９号公報
【特許文献２】特開平１１−２５９０５２号公報
【特許文献３】特開２０００−２９５０４４号公報
【特許文献４】特開２００３−２２８３５３号公報
【特許文献５】特開２００２−１４６５８号公報
【特許文献６】特許第３５８６９９８号
【特許文献７】特許第３０６３６７０号
【特許文献８】特開２０００−３９８７０号公報
【特許文献９】特開２０００−２２１９３２号公報
【特許文献１０】特開平１０−１３３１７４号公報
【特許文献１１】特開平１０−３０１５３７号公報
【特許文献１２】特開２０００−３９８７０号公報
【特許文献１３】特開２０００−２２１９３２号公報
【特許文献１４】米国特許第６，６５０，３１２明細書
【特許文献１５】米国特許第６，１８４，８５５明細書
【発明の開示】
【発明が解決しようとする課題】
【００１３】
出力電圧の電圧値を所望の目標値に素早く変動させるためには、ディスプレイ駆動回路のテール電流を増加したり位相補償容量の容量値を小さくする必要があった。しかし、テール電流を増加すると回路の消費電力も増大してしまう。また、位相補償容量の容量値を小さくするとディスプレイ駆動回路の安定性が損なわれてしまう。このように、出力電圧の電圧値を高速に変動させることは、困難であった。
【００１４】
また、特許文献５等に開示された電荷再分配型のディスプレイ駆動回路では、出力端子の電圧の電圧値と位相補償容量の電圧の電圧値との間に電圧差が生じていると、遷移モードから出力モードになったときにその電圧差に起因した電荷の充放電が発生してしまう。したがって、電荷を有効に再利用することができず、その充放電に時間を費やしてしまうので出力電圧の電圧値が所望の目標値に達するまでに要する時間が長くなってしまう。さらに、この充放電時に、瞬時に大電流が流れてしまうので、ＥＭＩ（Electro Magnetic Interference）が大きくなってしまう。
【００１５】
そこで、本発明は、出力電圧の電圧値を高速に変動させることを目的とする。さらに詳しくは、遷移モード時に位相補償容量を高速に充放電することによって出力電圧の電圧値が目標値に達するまでに要する時間が短くなるディスプレイ駆動回路を提供することを目的とする。
【課題を解決するための手段】
【００１６】
この発明の１つの局面に従うと、ディスプレイ駆動回路は、入力電圧が与えられる入力端子と、出力電圧をディスプレイパネルの垂直ラインへ出力する出力端子とを有する。また、ディスプレイ駆動回路は、入力電圧に応じて出力電圧を供給する出力モードと、入力電圧の電圧値が変更される遷移モードとを有する。ディスプレイ駆動回路は、差動増幅部と、第１容量素子と、出力部と、出力スイッチと、第１供給スイッチと、入力スイッチと、供給切替部とを備える。差動増幅部は、入力端子に接続された第１入力ノードと、第２入力ノードと、第１出力ノードとを有する。また、差動増幅部は、第１および第２入力ノードの各々に与えられる電圧の差に応じた第１電圧を第１出力ノードから出力する。第１容量素子は、第１供給ノードと中間ノードとの間に接続される。第１供給ノードは、差動増幅部の第１出力ノードに接続される。中間ノードは、差動増幅部の第２入力ノードに接続される。出力部は、入出力ノードと、第１基準ノードと入出力ノードとの間に接続された第１駆動トランジスタと、入出力ノードと第２基準ノードとの間に接続された第２駆動トランジスタとを有する。また、出力部は、第１および第２駆動トランジスタによって生成される出力電流を入出力ノードを介して中間ノードに供給する。出力スイッチは、出力部の入出力ノードと出力端子との間に接続され、且つ、出力モードではオンになり、遷移モードではオフになる。第１供給スイッチは、第１供給ノードと第３基準ノードとの間に接続され、且つ、出力モードではオフになり、遷移モードではオンになる。第３基準ノードには、差動増幅部からの第１電圧よりもインピーダンスが低い電圧が与えられる。入力スイッチは、中間ノードと入力端子との間に接続され、且つ、出力モードではオフになり、遷移モードではオンになる。供給切替部は、出力モードでは出力部に出力電流の供給を実行させ、遷移モードでは出力部に出力電流の供給を停止させる。
【００１７】
上記ディスプレイ駆動回路では、出力モードのときには、中間ノードにおける電圧が出力部を介して出力端子に供給される。一方、遷移モードのときには、第１容量素子の一方端は第３基準ノードに接続され、他方端は入力端子に接続される。ここで、第３基準ノードからの電圧はインピーダンスが低いので、第１容量素子における電荷の充放電速度は、出力モード時よりも高速になる。したがって、遷移モード中に、入力電圧に応じた電荷量の電荷を第１容量素子に素早く蓄積させることができ、第１容量素子の電圧の電圧値を入力電圧の電圧値に素早く変動させることができる。よって、出力モードになってから出力電圧の電圧値が目標値（入力電圧の電圧値）に達するまでの時間が、従来よりも、短くなる。このように、出力電圧の電圧値の変動を高速に変動させることができる。
【００１８】
また、上記差動増幅部は、さらに、第２出力ノードを有する。上記差動増幅部は、上記第１および第２入力ノードの各々に与えられる電圧の差に応じた第２電圧を第２出力ノードから出力する。上記ディスプレイ駆動回路は、さらに、第２容量素子と、第２供給スイッチとを備える。第２容量素子は、第２供給ノードと上記中間ノードとの間に接続される。第２供給ノードは、上記差動増幅部の第２出力ノードに接続される。第２供給スイッチは、第２供給ノードと第４基準ノードとの間に接続され、且つ、出力モードではオフになり、遷移モードではオンになる。第４基準ノードは、上記差動増幅部からの第２電圧よりもインピーダンスが低い電圧が与えられる。
【００１９】
上記ディスプレイ駆動回路では、出力モードのときには、中間ノードにおける電圧が出力部を介して出力端子に供給される。一方、遷移モードのときには、第１容量素子の一方端は第３基準ノードに接続され、他方端は入力端子に接続される。また、第２容量素子の一方端は第４基準ノードに接続され、他方端は入力端子に接続される。ここで、第３および第４基準ノードからの電圧はインピーダンスが低いので、第１および第２容量素子における電荷の充放電速度は、出力モード時よりも高速になる。したがって、遷移モード中に、入力電圧に応じた電荷量の電荷を第１および第２容量素子に素早く蓄積させることができ、中間ノードにおける電圧の電圧値を入力電圧の電圧値に素早く変動させることができる。よって、出力モードになってから出力電圧の電圧値が目標値に達するまでの時間が、従来よりも、短くなる。このように、出力電圧の電圧値の変動を高速に変動させることができる。
【００２０】
好ましくは、上記供給切替部は、接続スイッチを含む。接続スイッチは、上記中間ノードと上記出力部の入出力ノードとの間に接続される。接続スイッチは、上記出力モードでは中間ノードと入出力ノードとを接続し、上記遷移モードでは中間ノードと入出力ノードとを非接続にする。
【００２１】
上記ディスプレイ駆動回路では、出力部の第１および第２駆動トランジスタには、出力電流が流れている。出力モードのときには、出力部の出力電流が中間ノードと出力端子との間に供給される。一方、遷移モードのときには、中間ノードと出力部の入出力ノードと非接続になり、中間ノードと出力端子との間には、出力電流が供給されない。これにより、遷移モード中に、出力部と入力端子との間に出力電流を流れないようにすることができる。
【００２２】
好ましくは、上記ディスプレイ駆動回路は、第１電流制限トランジスタと、第２電流制限トランジスタとをさらに備える。第１電流制限トランジスタは、上記第１基準ノードと上記第１駆動トランジスタとの間に接続され、且つ、第１所定電圧をゲートに受ける。第２電流制限トランジスタは、上記第２基準ノードと上記第２駆動トランジスタとの間に接続され、且つ、第２所定電圧をゲートに受ける。
【００２３】
好ましくは、上記ディスプレイ駆動回路は、第１クランプ回路と、第２クランプ回路とをさらに備える。第１クランプ回路は、上記第１駆動トランジスタのゲート電圧を制限する。第２クランプ回路は、上記第２駆動トランジスタのゲート電圧を制限する。
【００２４】
好ましくは、上記第１供給スイッチ，第２供給スイッチ，および上記入力スイッチの各々は、上記遷移モードから上記出力モードになる前に、オンからオフになる。
【００２５】
上記ディスプレイ駆動回路では、出力モードになる前に、第１供給ノード，第２供給ノード，および中間ノードにおける電圧変動を抑制することができる。
【００２６】
この発明のもう１つの側面に従うと、ディスプレイ駆動回路は、正極性または負極性を示す入力電圧が与えられる入力端子と、第１出力電圧をディスプレイの垂直ラインに出力する出力端子とを有する。また、ディスプレイ駆動回路は、出力モードと、遷移モードとを有する。出力モードでは、第１出力電圧とは逆極性の第２出力電圧をディスプレイの別の垂直ラインに出力する別の出力端子と自己の出力端子とが非接続になり、且つ、入力電圧に応じて第１出力電圧を出力する。遷移モードでは、自己の出力端子と別の出力端子とが接続され、且つ、入力電圧の極性が反転する。ディスプレイ駆動回路は、差動増幅部と、第１容量素子と、出力部と、第１供給スイッチと、供給切替部とを備える。差動増幅部は、入力端子に接続された第１入力ノードと、第２入力ノードと、第１出力ノードとを有する。また、差動増幅部は、第１および第２入力ノードの各々に与えられる電圧の差に応じた第１電圧を第１出力ノードから出力する。第１容量素子は、第１供給ノードと中間ノードとの間に接続される。第１供給ノードは、差動増幅部の第１出力ノードに接続される。中間ノードは、差動増幅部の第２入力ノードに接続される。出力部は、入出力ノードと、第１基準ノードと入出力ノードとの間に接続された第１駆動トランジスタと、入出力ノードと第２基準ノードとの間に接続された第２駆動トランジスタとを有する。また、出力部は、第１および第２駆動トランジスタによって生成される出力電流を入出力ノードを介して中間ノードおよび出力端子に供給する。第１供給スイッチは、第１供給ノードと第３基準ノードとの間に接続され、且つ、出力モードではオフになり、遷移モードではオンになる。第３基準ノードは、差動増幅部からの第１電圧よりもインピーダンスが低い電圧が与えられる。供給切替部は、出力モードでは出力部に出力電流の供給を実行させ、遷移モードでは出力部に出力電流の供給を停止させる。
【００２７】
上記ディスプレイ駆動回路では、出力モードのときには、中間ノードにおける電圧が出力部を介して出力端子に供給される。一方、遷移モードのときには、出力端子が別の出力端子と接続されて、各々の出力端子に蓄積された電荷が分配される。これにより、出力端子の出力電圧の電圧値は中間値になる。また、第１容量素子の一方端は第３基準ノードに接続される。ここで、第３基準ノードからの電圧はインピーダンスが低いので、第１容量素子における電荷の充放電速度は、出力モード時よりも高速になる。したがって、遷移モード中に、出力端子における電圧の電圧値（中間値）に応じた電荷量の電荷を第１容量素子に素早く蓄積させることができ、第１容量素子の電圧の電圧値を中間値に素早く変動させることができる。また、中間ノードと出力端子とが接続されているので、中間ノードの電圧の電圧値と出力端子の電圧の電圧値とが互いに等しくなる。よって、出力モードになってから出力電圧の電圧値が目標値（入力電圧の電圧値）に達するまでの時間が、従来よりも、短くなる。このように、出力電圧の電圧値の変動を高速に変動させることができる。
【００２８】
また、遷移モードから出力モードになったときに、出力端子における電荷の充放電が生じないので、分配された電荷を有効に再利用することができる。これにより、消費電力を低減することができる。
【００２９】
さらに、出力端子において瞬間的な大電流が流れないので、ＥＭＩを低減することができる。
【００３０】
また、上記差動増幅部は、さらに、第２出力ノードを有する。上記差動増幅部は、上記第１および第２入力ノードの各々に与えられる電圧の差に応じた第２電圧を第２出力ノードから出力する。上記ディスプレイ駆動回路は、さらに、第２容量素子と、第２供給スイッチとを備える。第２容量素子は、第２供給ノードと上記中間ノードとの間に接続される。第２供給ノードは、上記差動増幅部の第２出力ノードに接続される。第２供給スイッチは、第２供給ノードと第４基準ノードとの間に接続され、且つ、出力モードではオフになり、遷移モードではオンになる。第４基準ノードは、上記差動増幅部からの第２電圧よりもインピーダンスが低い電圧が与えられる。
【００３１】
上記ディスプレイ駆動回路では、出力モードのときには、中間ノードにおける電圧が出力部を介して出力端子に供給される。一方、遷移モードのときには、出力端子が別の出力端子と接続されて、各々の出力端子に蓄積された電荷が分配される。これにより、出力端子の出力電圧の電圧値は中間値になる。また、第１容量素子の一方端は第３基準ノードに接続され、第２容量素子の一方端は第４基準ノードに接続される。ここで、第３および第４基準ノードからの電圧はインピーダンスが低いので、第１および第２容量素子における電荷の充放電速度は、出力モード時よりも高速になる。したがって、遷移モード中に、出力端子における電圧の電圧値（中間値）に応じた電荷量の電荷を第１および第２容量素子に素早く蓄積させることができ、中間ノードの電圧の電圧値を中間値に素早く変動させることができる。また、中間ノードと出力端子とが接続されているので、中間ノードの電圧の電圧値と出力端子の電圧の電圧値とが互いに等しくなる。よって、出力モードになってから出力電圧の電圧値が目標値（入力電圧の電圧値）に達するまでの時間が、従来よりも、短くなる。このように、出力電圧の電圧値の変動を高速に変動させることができる。
【００３２】
好ましくは、上記供給切替部は、出力スイッチと、第１接続スイッチと、第２接続スイッチとを含む。出力スイッチは、上記出力部の入出力ノードと上記出力端子との間に接続される。出力スイッチは、上記出力モードではその入出力ノードとその出力端子とを接続し、上記遷移モードではその入出力ノードとその出力端子とを非接続にする。第１接続スイッチは、上記中間ノードと上記出力部の入出力ノードとの間に接続される。第１接続スイッチは、上記出力モードではその中間ノードとその入出力ノードとを接続し、上記遷移モードではその中間ノードとその入出力ノードとを非接続にする。第２接続スイッチは、上記中間ノードと上記出力端子との間に接続される。第２接続スイッチは、上記出力モードではその中間ノードとその出力端子とを非接続にし、上記遷移モードではその中間ノードとその出力端子とを接続する。
【００３３】
上記ディスプレイ駆動回路では、出力部の第１および第２駆動トランジスタには、出力電流が流れている。出力モードのときには、出力部が中間ノードおよび出力端子に接続される。これにより、中間ノードと出力端子との間に出力電流が供給される。一方、遷移モードのときには、出力部が中間ノードおよび出力端子から切り離される。これにより、中間ノードと出力端子との間には出力電流が供給されない。
【００３４】
好ましくは、上記第１および第２供給スイッチの各々は、上記遷移モードから上記出力モードになる前に、オンからオフになる。
【００３５】
上記ディスプレイ駆動回路では、出力モードになる前に、第１供給ノード，第２供給ノード，および中間ノードにおける電圧変動を抑制することができる。
【００３６】
好ましくは、上記供給切替部は、第１接続スイッチと、第２接続スイッチとを含む。第１接続スイッチは、上記第１駆動トランジスタのドレインと上記入出力ノードとの間に接続される。第１接続スイッチは、上記出力モードではそのドレインとその入出力ノードとを接続し、上記遷移モードではそのドレインとその入出力ノードとを非接続にする。第２接続スイッチは、上記入出力ノードと上記第２駆動トランジスタのドレインとの間に接続される。第２接続スイッチは、上記出力モードではその入出力ノードとそのドレインとを接続し、上記遷移モードではその入出力ノードとそのドレインとを非接続にする。
【００３７】
上記ディスプレイ駆動回路では、出力モードのときには、第１および第２駆動トランジスタに出力電流が流れる。一方、遷移モードのときには、第１および第２駆動トランジスタの各々のドレインは非接続になり、出力電流が流れなくなる。これにより、遷移モード中に、出力部に流れる出力電流を停止することができるので、消費電力を低減することができる。
【００３８】
好ましくは、上記第１基準ノードには正極性の電圧が与えられ、上記第２基準ノードには負極性の電圧が与えられる。上記第１駆動トランジスタは、ＰＭＯＳ型トランジスタであり、上記第１基準ノードに接続されたソースと、上記入出力ノードに接続されたドレインと、上記第１出力ノードの電圧に応じた電圧を受けるゲートとを有する。上記第２駆動トランジスタは、ＮＭＯＳ型トランジスタであり、上記第２基準ノードに接続されたソースと、上記入出力ノードに接続されたドレインと、上記第２出力ノードの電圧に応じた電圧を受けるゲートとを有する。上記差動増幅部は、第１差動入力回路と、第１カレントミラー回路と、第２差動入力回路と、第２カレントミラー回路とを含む。第１差動入力回路は、第１および第２入力側トランジスタを含む。第１および第２入力側トランジスタの各々のソースは上記第２基準ノードに接続される。第１入力側トランジスタのゲートは、上記第１入力ノードの電圧を受ける。第２入力側トランジスタのゲートは、上記第２入力ノードの電圧を受ける。第１カレントミラー回路は、上記第１および第２入力側トランジスタの出力を受ける第１および第２出力側トランジスタを含む。第１および第２出力側トランジスタの各々のソースは、上記第１基準ノードに接続される。第１および第２出力側トランジスタの各々のゲートは互いに接続される。第１出力側トランジスタのドレインは、上記第１出力ノードに接続される。第２出力側トランジスタのゲートとドレインとは、互いに接続される。第２差動入力回路は、第２カレントミラー回路は、第３および第４入力側トランジスタを含む。第３および第４入力側トランジスタの各々のソースは上記第１基準ノードに接続される。第３入力側トランジスタのゲートは、上記第１入力ノードの電圧を受ける。第４入力側トランジスタのゲートは、上記第２入力ノードの電圧を受ける。第２カレントミラー回路は、上記第３および第４入力側トランジスタの出力を受ける第３および第４出力側トランジスタを含む。第３および第４出力側トランジスタの各々のソースは、上記第２基準ノードに接続される。第３および第４出力側トランジスタの各々のゲートは互いに接続される。第３出力側トランジスタのドレインは、上記第２出力ノードに接続される。第４出力側トランジスタのゲートとドレインとは、互いに接続される。上記供給切替部は、接続スイッチを含む。接続スイッチは、上記第１出力ノードと上記第２出力ノードとの間に接続される。接続スイッチは、上記出力モードではその第１出力ノードとその第２出力ノードとを接続し、上記遷移モードではその第１出力ノードとその第２出力ノードとを非接続にする。
【００３９】
上記ディスプレイ駆動回路では、出力モードのときには、第１および第２出力ノードの間には電流が流れ、第１および第２出力ノードの各々からは入力電圧と中間ノードの電圧との差に応じた電圧が出力される。一方、遷移モードのときには、第１および第２出力ノードの間に電流が流れなくなり、第１駆動トランジスタのゲートには第１基準ノードからの正極性の電圧が与えられ、第２駆動トランジスタのゲートには第２基準ノードからの負極性の電圧が与えられる。したがって、第１および第２駆動トランジスタは非活性化するので、出力部には出力電流が流れない。このように、遷移モード中に、出力部に流れる出力電流を停止することができるので、消費電力を低減することができる。
【００４０】
好ましくは、上記差動増幅部は、さらに、上記第１出力ノードと上記第２出力ノードとの間に並列に接続される第１のＰ型トランジスタと第１のＮ型トランジスタと、上記第２および第４出力側トランジスタの各々のドレインの間に並列に接続される第２のＰ型トランジスタおよび第２のＮ型トランジスタとを含む。上記接続スイッチは、上記第１出力ノードと第１のＰ型トランジスタとの間に接続された第３のＰ型トランジスタと、上記第２出力ノードと第１のＮ型トランジスタとの間に接続された第３のＮ型トランジスタとを含む。第３のＰ型トランジスタおよび第３のＮ型トランジスタの各々は、上記出力モードではオンになり、上記遷移モードではオフになる。
【００４１】
上記ディスプレイ駆動回路では、第１のＰ型トランジスタおよび第１のＮ型トランジスタの各々のソース−ゲート間電圧を、第３のＰ型トランジスタおよび第３のＮ型トランジスタが接続されていない場合と、等しくすることができるので、差動増幅部の動作点のずれを抑制することができる。
【００４２】
好ましくは、上記ディスプレイ駆動回路は、第１遮断スイッチと、第２遮断スイッチとをさらに備える。第１遮断スイッチは、上記第１出力ノードと上記第１供給ノードとの間に接続される。第１遮断スイッチは、上記出力モードではその第１出力ノードとその第１供給ノードとを接続し、上記遷移モードではその第１出力モードとその第１供給ノードとを非接続にする。第２遮断スイッチは、上記第２出力ノードと上記第２供給ノードとの間に接続される。第２遮断スイッチは、上記出力モードではその第２出力ノードとその第２供給ノードとを接続し、上記遷移モードではその第２出力ノードとその第２供給ノードとを非接続にする。
【００４３】
上記ディスプレイ駆動回路では、遷移モードにおいて、第１供給ノードと第１出力ノードとの間には電流が流れない。また、第２供給ノードと第２出力ノードとの間には電流が流れない。これにより、出力電圧の電圧値を高速に変動させることができるとともに、電力消費を低減することができる。
【００４４】
好ましくは、上記第３基準ノードには、上記出力モード時における上記第１供給ノードの電圧に相当する第１の安定電圧が与えられる。上記第４基準ノードには、上記出力モード時における上記第２供給ノードの電圧に相当する第２の安定電圧が与えられる。
【００４５】
上記ディスプレイ駆動回路では、遷移モードから出力モードになったときに発生する第１および第２供給ノードの各々における電圧変動を抑制することができる。これにより、出力モードになったときに生じる中間ノードの電圧Ｖｃの変動を抑制することができるので、出力電圧の電圧値をさらに高速に変動させることができる。
【００４６】
好ましくは、上記ディスプレイ駆動回路は、電源供給回路をさらに備える。電源供給回路は、上記第１および第２の安定電圧を生成し、上記生成した第１の安定電圧を上記第３基準ノードに供給するとともに上記生成した第２の安定電圧を上記第４基準ノードに供給する。
【００４７】
好ましくは、上記電源供給回路は、上記第１基準ノードと上記第２基準ノードとの間に接続されたラダー抵抗を含む。
【００４８】
好ましくは、上記電源供給回路は、供給用差動増幅部と、第３および第４容量素子と、第３および第４駆動トランジスタと、第１ボルテージフォロア回路と、第２ボルテージフォロア回路とを含む。供給用差動増幅部は、所定電圧を受ける第３入力ノードと、第４入力ノードと、第３出力ノードと、第４出力ノードとを有する。供給用差動増幅部は、第３および第４入力ノードの各々に与えられる電圧の差に応じた第３電圧を第３出力ノードから出力するとともに第４電圧を第４出力ノードから出力する。第３および第４容量素子は、第３出力ノードに接続される第３供給ノードと第４出力ノードに接続される第４供給ノードとの間に直列に接続され、且つ、各々を接続する接続ノードが第４入力ノードに接続される。第３および第４駆動トランジスタは、上記第１基準ノードと上記第２基準ノードとの間に直列に接続され、且つ、各々を接続する接続ノードが第３および第４容量素子の接続ノードに接続される。第１ボルテージフォロア回路は、第３供給ノードにおける電圧を受けて上記第１の安定電圧を出力する。第２ボルテージフォロア回路は、第４供給ノードにおける電圧を受けて上記第２の安定電圧を出力する。
【００４９】
好ましくは、上記供給切替部は、上記出力モードでは、上記第１駆動トランジスタの接続状態をソースが上記第１基準ノードに接続され且つドレインが上記入出力ノードに接続された状態にするとともに、上記第２駆動トランジスタの接続状態をソースが上記第２基準ノードに接続されドレインが上記入出力ノードに接続された状態にする。上記供給切替部は、上記遷移モードでは、上記第１駆動トランジスタの接続状態をソースおよびドレインのうち少なくとも一方が非接続である状態にするとともに、上記第２駆動トランジスタの接続状態をソースおよびドレインのうち少なくとも一方が非接続である状態にする。
【００５０】
上記ディスプレイ駆動回路では、出力モードのときには、第１および第２駆動トランジスタに出力電流が流れる。一方、遷移モードのときには、第１および第２駆動トランジスタには出力電流が流れない。
【００５１】
好ましくは、上記第１基準ノードに与えられる電圧は、正極性を示し、上記第２基準ノードに与えられる電圧は、負極性を示す。上記第１駆動トランジスタは、Ｐ型トランジスタであり、上記第１基準ノードに接続されたソースと、上記入出力ノードに接続されたドレインと、ゲートとを有する。上記第２駆動トランジスタは、Ｎ型トランジスタであり、上記第２基準ノードに接続されたソースと、上記入出力ノードに接続されたドレインと、ゲートとを有する。上記供給切替部は、上記出力モードでは上記第１駆動トランジスタのゲートに正極性の電圧を与えるとともに上記第２駆動トランジスタのゲートに負極性の電圧を与える。上記供給切替部は、上記遷移モードでは上記第１駆動トランジスタのゲートに負極性の電圧を与えるとともに上記第２駆動トランジスタのゲートに正極性の電圧を与える。
【００５２】
上記ディスプレイ駆動回路では、出力モードのときには、第１および第２駆動トランジスタが活性化されて、出力電流が流れる。一方、遷移モードのときには、第１および第２駆動トランジスタが非活性化されて、出力電流が流れない。
【発明の効果】
【００５３】
以上のように、出力電圧の電圧値の変動を高速に変動させることができる。また、分配された電荷を有効に再利用することができ、消費電力を低減することができる。さらに、出力端子において瞬間的な大電流が流れないので、ＥＭＩを低減することができる。
【発明を実施するための最良の形態】
【００５４】
以下、この発明の実施の形態を図面を参照して詳しく説明する。なお、図中同一または相当部分には同一の符号を付しその説明は繰り返さない。
【００５５】
（第１の実施形態）
＜構成＞
図１は、この発明の第１の実施形態によるディスプレイ駆動回路の構成を示す。この回路は、入力端子１０１と、差動増幅部１０２と、位相補償容量Ｃ１０３ａ，Ｃ１０３ｂと、出力端子１０４と、駆動トランジスタＴ１０５ａ，Ｔ１０５ｂと、出力スイッチＳＷ１１と、入力スイッチＳＷ１２と、供給スイッチＳＷ１３ａ，ＳＷ１３ｂと、接続スイッチＳＷ１４とを備える。この回路は、ディスプレイパネルの垂直ラインを駆動するものであり、出力モードでは入力端子１０１に与えられる入力電圧Ｖｉｎに応じて出力電圧Ｖｏｕｔを出力端子１０４を介して垂直ラインに供給する。遷移モードになると入力電圧Ｖｉｎの電圧値が変動する。
【００５６】
入力端子１０１は、入力電圧Ｖｉｎを受ける。差動増幅部１０２は、入力ノードｎ１１，ｎ１２と、出力ノードｎ１３ａ，ｎ１３ｂとを有する。入力ノードｎ１１は、入力端子１０１に接続される。また、差動増幅部１０２は、入力ノードｎ１１，ｎ１２の各々に与えられた電圧の差に応じた２つの電圧を生成し、一方の電圧を出力ノードｎ１３ａから出力し、他方の電圧を出力ノードｎ１３ｂから出力する。
【００５７】
位相補償容量Ｃ１０３ａの一方端は出力ノードｎ１３ａに繋がる供給ノードｎ１４ａに接続され、他方端は位相補償容量Ｃ１０３ｂに接続される。位相補償容量Ｃ１０３ｂの一方端は出力ノードｎ１３ｂに繋がる供給ノードｎ１４ｂに接続され、他方端は位相補償容量Ｃ１０３ａに接続される。位相補償容量Ｃ１０３ａとＣ１０３ｂとの接続ノード（中間ノード）ｎｃは、差動増幅部１０２の入力ノードｎ１２に接続される。
【００５８】
出力端子１０４は、ディスプレイパネルの垂直ライン（図示せず）に接続される。駆動トランジスタＴ１０５ａ，Ｔ１０５ｂは、電源ノードＶｃｃと接地ノードＶｓｓとの間に直列に接続されて、アイドリング電流（出力電流）を生成するための出力回路を構成している。出力スイッチＳＷ１１は、駆動トランジスタＴ１０５ａとＴ１０５ｂとの接続ノード（出力回路の入出力ノード）ｎｔと出力端子１０４との間に接続される。
【００５９】
入力スイッチＳＷ１２は、中間ノードｎｃと入力端子１０１との間に接続される。供給スイッチＳＷ１３ａは、電源ノードＶｃｃと供給ノードｎ１４ａとの間に接続される。供給スイッチＳＷ１３ｂは、供給ノードｎ１４ｂと接地ノードＶｓｓとの間に接続される。接続スイッチＳＷ１４は、中間ノードｎｃと出力回路のノードｎｔとの間に接続される。
【００６０】
また、スイッチＳＷ１１，ＳＷ１２，ＳＷ１３ａ，ＳＷ１３ｂ，ＳＷ１４の各々は、例えば、制御回路（図示せず）からの制御信号ｓ１１，ｓ１２，ｓ１３ａ，ｓ１３ｂ，ｓ１４によってオン／オフが制御される。
【００６１】
＜差動増幅部の内部構成＞
差動増幅部１０２は、一対の入力側トランジスタ１１１ａ，１１２ａを含む高電圧差動入力回路と、一対の出力側トランジスタ１１３ａ，１１４ａを含む高電圧カレントミラー回路と、一対の入力側トランジスタ１１１ｂ，１１２ｂを含む低電圧差動入力回路と、一対の出力側トランジスタ１１３ｂ，１１４ｂを含む低電圧カレントミラー回路と、高電圧カレントミラー回路と低電圧カレントミラー回路との間に接続される一対の接続回路とを含む。
【００６２】
入力側トランジスタ１１１ａ，１１２ａの各々は、ソースが調整トランジスタ２０１ａを介して接地ノードＶｓｓに接続される。入力側トランジスタ１１１ａのゲートは入力ノードｎ１１の電圧（入力端子１０１に与えられた入力電圧Ｖｉｎ）を受け、入力側トランジスタ１１２ａのゲートは入力ノードｎ１２の電圧（中間ノードｎｃにおける電圧Ｖｃ）を受ける。
【００６３】
出力側トランジスタ１１３ａ，１１４ａの各々は、ゲートが互いに接続され、ソースが電源ノードＶｃｃに接続される。出力側トランジスタ１１３ａ，１１４ａのドレインには、一対のカスコードトランジスタ２０３ａ，２０４ａがカスコード接続される。
【００６４】
また、供給ノードｎ１４ａに繋がる出力ノードｎ１３ａは、出力側トランジスタ１１３ａのドレインとカスコードトランジスタ２０３ａのソースとの間に位置する。
【００６５】
入力側トランジスタ１１１ｂ，１１２ｂの各々は、ソースが調整トランジスタ２０１ｂを介して電源ノードＶｃｃに接続される。入力側トランジスタ１１１ｂのゲートは入力ノードｎ１１の電圧（入力端子１０１に与えられた入力電圧Ｖｉｎ）を受け、入力側トランジスタ１１２ｂのゲートは入力ノードｎ１２の電圧（中間ノードｎｃにおける電圧Ｖｃ）を受ける。
【００６６】
出力側トランジスタ１１３ｂ，１１４ｂの各々は、ゲートが互いに接続され、ソースが接地ノードＶｓｓに接続される。出力側トランジスタ１１３ｂ，１１４ｂのドレインには、一対のカスコードトランジスタ２０３ｂ，２０４ｂがカスコード接続される。
【００６７】
また、供給ノードｎ１４ｂに繋がる出力ノードｎ１３ｂは、出力側トランジスタ１１３ｂのドレインとカスコードトランジスタ２０３ｂのソースとの間に位置する。
【００６８】
カスコードトランジスタ２０３ａと２０３ｂとの間には、接続トランジスタ１１５ｎ，１１５ｐが並列に接続される。駆動トランジスタＴ１０５ａのゲートへ繋がるノードｎ１５ａは、カスコードトランジスタ２０３ａのドレインと接続トランジスタ１１５ｎのドレイン（１１５ｐのソース）との間に位置する。駆動トランジスタＴ１０５ｂのゲートへ繋がるノードｎ１５ｂは、カスコードトランジスタ２０３ｂのドレインと接続トランジスタ１１５ｐのドレイン（１１５ｎのソース）との間に位置する。一方、カスコードトランジスタ２０４ａと２０４ｂとの間には、接続トランジスタ１１６ｎ，１１６ｐが並列に接続される。なお、これらの接続回路は、並列に接続されたトランジスタでなく、負荷抵抗であっても良い。
【００６９】
＜動作＞
図２を参照しつつ、図１に示したディスプレイ駆動回路１０による動作について説明する。なお、図２には、入力端子１０１に入力される入力電圧Ｖｉｎ，中間ノードｎｃにおける容量電圧Ｖｃ，出力端子１０４から供給される出力電圧Ｖｏｕｔの変化の様子が示されている。
【００７０】
〔出力モード〕
まず、ディスプレイ駆動回路１０が『出力モード』であるとする。この場合、出力スイッチＳＷ１１，接続スイッチＳＷ１４はオンであり、入力スイッチＳＷ１２，供給スイッチＳＷ１３ａ，ＳＷ１３ｂはオフである。中間ノードｎｃには、入力電圧Ｖｉｎに応じた電圧値を有する電圧（容量電圧）Ｖｃが発生しており、出力端子１０４からは容量電圧Ｖｃに応じた電圧値（つまり、入力電圧Ｖｉｎに応じた電圧値）を有する出力電圧Ｖｏｕｔが出力されている。
【００７１】
〔遷移モード〕
次に、ディスプレイ駆動回路１０が『遷移モード』になる。この場合、出力スイッチＳＷ１１，接続スイッチＳＷ１４はオフになり、入力スイッチＳＷ１２，供給スイッチＳＷ１３ａ，ＳＷ１３ｂはオンになる。また、入力電圧Ｖｉｎの電圧値は新たな電圧値に変動する。
【００７２】
このとき、供給ノードｎ１４ａが電源ノードＶｃｃに接続されて、位相補償容量Ｃ１０３ａの一方端は電源ノードＶｃｃからの電圧を受ける。また、供給ノードｎ１４ｂが接地ノードＶｓｓに接続されて、位相補償容量Ｃ１０３ｂの一方端は接地ノードＶｓｓからの電圧を受ける。さらに、中間ノードｎｃが入力端子１０１に接続されて、位相補償容量Ｃ１０３ａ，Ｃ１０３ｂは入力電圧Ｖｉｎを受ける。
【００７３】
位相補償容量Ｃ１０３ａ，Ｃ１０３ｂの各々は、入力電圧Ｖｉｎの電圧値に応じて、電荷を充放電する。この電荷の充放電に応じて、中間ノードｎｃにおける容量電圧Ｖｃの電圧値は変動する。ここで、電源ノードＶｃｃ，接地ノードＶｓｓからの電圧は出力ノードｎ１３ａ，ｎ１３ｂからの電圧よりもインピーダンスが低いので、位相補償容量Ｃ１０３ａ，１０３ｂにおける電荷の充放電速度は、出力モード時よりも高速である。したがって、位相補償容量Ｃ１０３ａ，Ｃ１０３ｂは、入力電圧Ｖｉｎに応じた電荷量の電荷を素早く蓄積することができる。これにより、容量電圧Ｖｃの電圧値を入力電圧Ｖｉｎの電圧値に素早く変動させることができ、遷移モード中に位相補償容量Ｃ１０３ａ，Ｃ１０３ｂにおける電荷の充放電を完了させることが可能となる。
【００７４】
〔出力モード〕
次に、ディスプレイ駆動回路１０が『遷移モード』から『出力モード』になる。この場合、出力スイッチＳＷ１１，接続スイッチＳＷ１４がオンになり、入力スイッチＳＷ１２，供給スイッチＳＷ１３ａ，ＳＷ１３ｂがオフになる。
【００７５】
中間ノードｎｃは接続スイッチＳＷ１４，出力回路のノードｎｔ，出力スイッチＳＷ１１を介して出力端子１０４に接続される。よって、中間ノードの電圧Ｖｃが出力回路を介して出力端子ｎｔに供給される。ここで、容量電圧Ｖｃの電圧値は入力電圧Ｖｉｎの電圧値に達しているので、出力モードになってから出力電圧Ｖｏｕｔの電圧値が目標値（入力電圧Ｖｉｎの電圧値）に達するまでの時間が、従来よりも、短い。なお、出力電圧Ｖｏｕｔの電圧値の変動速度は、このディスプレイ駆動回路１０の出力インピーダンスとディスプレイ（図示せず）の負荷容量との時定数に依存する。
【００７６】
このように、遷移モード時において容量電圧Ｖｃの電圧値を入力電圧Ｖｉｎの電圧値へ高速に変動させることにより、出力電圧Ｖｏｕｔの電圧値が目標値に達するまでの時間を短縮することができる。
【００７７】
＜効果＞
以上のように、テール電流を増加したり位相補償容量の容量値を減少させることなく、出力電圧の電圧値を高速に変動させることができる。
【００７８】
また、遷移モード時において、入力スイッチＳＷ１２がオフであるので、駆動トランジスタＴ１０５ａと入力端子１０１との間には貫通電流（電流経路：Ｖｃｃ → Ｔ１０５ａ → ｎｔ → ＳＷ１４ → ＳＷ１２ → １０１）が流れず、駆動トランジスタＴ１０５ｂと入力端子１０１との間にも貫通電流（電流経路：１０１ → ＳＷ１２ → ＳＷ１４ → ｎｔ → Ｔ１０５ｂ → Ｖｓｓ）が流れない。
【００７９】
（第１の実施形態の変形例）
また、図３のように、ディスプレイ駆動回路１０が、図１に示した接続スイッチＳＷ１４に代えて、接続スイッチＳＷ１５ａ，ＳＷ１５ｂを備えていても同様の効果を得ることができる。接続スイッチＳＷ１５ａ，ＳＷ１５ｂは、駆動トランジスタＴ１０５ａとＴ１０５ｂとの間に直列に接続される。接続スイッチＳＷ１５ａとＳＷ１５ｂとの接続ノードｎｓは、中間ノードｎｃおよび出力端子１０４に接続される。スイッチＳＷ１５ａ，ＳＷ１５ｂの各々は、例えば、制御回路（図示せず）からの制御信号ｓ１５ａ，ｓ１５ｂによってオン／オフが制御される。接続スイッチＳＷ１５ａ，ＳＷ１５ｂの各々のオン／オフのタイミングは、接続スイッチＳＷ１４と同様であり、ディスプレイ駆動回路１０による動作も図２と同様である。このように構成すれば、遷移モード時において出力回路を流れるアイドリング電流（電流経路：Ｖｃｃ→Ｔ１０５ａ→ＳＷ１５ａ→ｎｓ→ＳＷ１５ｂ→Ｔ１０５ｂ→Ｖｓｓ）を停止することができる。これにより、消費電力を低減することができる。
【００８０】
なお、図３に示したディスプレイ駆動回路１０において、接続スイッチＳＷ１５ａを電源ノードＶｃｃと駆動トランジスタＴ１０５ａとの間に接続し、接続スイッチＳＷ１５ｂを駆動トランジスタＴ１０５ｂと接地ノードＶｓｓとの間に接続しても同様の効果を得ることができる。さらに、図３に示したディスプレイ駆動回路１０において、接続スイッチＳＷ１５ａをノードｎ１５ａと駆動トランジスタＴ１０５ａのゲートとの間に接続し、接続スイッチＳＷ１５ｂをノードｎ１５ｂと駆動トランジスタＴ１０５ｂのゲートとの間に接続しても同様の効果を得ることができる。つまり、遷移モード時において、駆動トランジスタＴ１０５ａ，Ｔ１０５ｂの接続状態をソース，ドレイン，ゲートのうち少なくとも１つが非接続である状態にすれば良い。
【００８１】
（第２の実施形態）
＜構成＞
図４は、この発明の第２の実施形態によるディスプレイ駆動回路２０の構成を示す。この回路は、図１に示した接続スイッチＳＷ１４に代えて、接続スイッチＳＷ２１を備える。接続スイッチＳＷ２１は、カスコードトランジスタ２０３ａのドレインと接続トランジスタ１１５ｎのドレイン（接続トランジスタ１１５ｐのソース）との間に接続される。スイッチＳＷ２１は、例えば、制御回路（図示せず）からの制御信号ｓ２１によってオン／オフが制御される。接続スイッチＳＷ２１のオン／オフのタイミングは、接続スイッチＳＷ１４と同様である。また、中間ノードｎｃは、出力回路のノードｎｔを介して出力端子１０４に接続される。その他の構成は、図１と同様である。
【００８２】
＜動作＞
図４に示したディスプレイ駆動回路２０による動作は、図１に示したディスプレイ駆動回路１０と同様である。ここでは、接続スイッチＳＷ２１に関連する動作について説明する。
【００８３】
〔出力モード〕
出力モードでは、接続スイッチＳＷ２１はオンになる。カスコードトランジスタ２０３ａのドレインは、接続トランジスタ１１５ｎのドレイン（接続トランジスタ１１５ｐのソース）と接続される。つまり、ノードｎ１５ａが、スイッチＳＷ２１，接続トランジスタ１１５ｎ，１１５ｐを介して、ノードｎ１５ｂに接続される。これにより、ノードｎ１５ａとノードｎ１５ｂとの間に電流が流れ、出力ノードｎ１３ａ，ｎ１３ｂ，およびノードｎ１５ａ，ｎ１５ｂの各々からは入力電圧Ｖｉｎと容量電圧Ｖｃとの差に応じた電圧が出力される。このとき、駆動トランジスタＴ１０５ａ，Ｔ１０５ｂの各々は活性化するので、出力回路（駆動トランジスタＴ１０５ａとＴ１０５ｂとの間）にはアイドリング電流が流れる。
【００８４】
〔遷移モード〕
遷移モードでは、接続スイッチＳＷ２１はオフになる。このとき、電源ノードＶｃｃからの電圧が供給スイッチＳＷ１３ａ，供給ノードｎ１４ａ，出力ノードｎ１３ａ，カスコードトランジスタ２０３ａ，ノードｎ１５ａを介して駆動トランジスタＴ１０５ａのゲートに供給されるので、駆動トランジスタＴ１０５ａは非活性化する。一方、接地ノードＶｓｓからの電圧が供給スイッチＳＷ１３ｂ，供給ノードｎ１４ｂ，出力ノードｎ１３ｂ，カスコードトランジスタ２０３ｂ，ノードｎ１５ｂを介して駆動トランジスタＴ１０５ｂのゲートに供給されるので、駆動トランジスタＴ１０５ｂは非活性化する。したがって、出力回路には、アイドリング電流が流れない。
【００８５】
また、スイッチＳＷ２１がオフであるので、ノードｎ１５ａとノードｎ１５ｂとの間にはアイドリング電流（電流経路：Ｖｃｃ→ｎ１３ａ→ｎ１５ａ→１１５ｎ→ｎ１５ｂ→ｎ１３ｂ→Ｖｓｓ）が流れない。
【００８６】
このように、出力モード時には出力回路にアイドリング電流が流れるが、遷移モード時にはアイドリング電流が流れないので、アイドリング電流による電力消費を低減することができる。
【００８７】
＜効果＞
以上のように、出力電圧の電圧値を高速に変動させることができるとともに、電力消費を低減することができる。また、図３に示したディスプレイ駆動回路１０と比較すると、スイッチの個数を少ないので、回路規模を低減することができる。
【００８８】
なお、図４において、接続スイッチＳＷ２１を接続トランジスタ１１５ｎのソース（接続トランジスタ１１５ｐのドレイン）とカスコードトランジスタ２０３ｂのドレインとの間に接続しても、同様の効果を得ることができる。
【００８９】
（第２の実施形態の変形例）
また、図５のように、ディスプレイ駆動回路２０が、接続スイッチＳＷ２１に代えて、接続トランジスタＳＷ２２ｎ，ＳＷ２２ｐを備えていても同様の効果を得ることができる。接続トランジスタＳＷ２２ｎは、カスコードトランジスタ２０３ａのドレインと接続トランジスタ１１５ｎのドレインとの間に接続される。接続トランジスタＳＷ２２ｐは、カスコードトランジスタ２０３ａのドレインと接続トランジスタ１１５ｐのソースとの間に接続される。スイッチＳＷ２２ｎ，ＳＷ２２ｐの各々は、例えば、制御回路（図示せず）からの制御信号ｓ２２ｎ，ｓ２２ｐによってオン／オフが制御される。接続トランジスタＳＷ２２ｎ，ＳＷ２２ｐの各々のオン／オフのタイミングは、スイッチＳＷ２１と同様である。このように構成すれば、接続トランジスタ１１５ｎ，１１５ｐの各々のソース−ゲート間電圧を、接続トランジスタＳＷ２２ｎ，ＳＷ２２ｐが接続されていない場合（例えば、図１の場合）と、等しくすることができる。これにより、差動増幅部１０２の動作点のずれを抑制することができる。
【００９０】
（第３の実施形態）
＜構成＞
図６は、この発明の第３の実施形態によるディスプレイ駆動回路３０の構成を示す。この回路３０は、図１に示したディスプレイ駆動回路１０に加えて、遮断スイッチＳＷ３１ａ，ＳＷ３１ｂを備える。遮断スイッチＳＷ３１ａは、出力ノードｎ１３ａと供給ノードｎ１４ａとの間に接続される。遮断スイッチＳＷ３１ｂは、出力ノードｎ１３ｂと供給ノードｎ１４ｂとの間に接続される。遮断スイッチＳＷ３１ａ，ＳＷ３１ｂの各々は、例えば、制御回路（図示せず）からの制御信号ｓ３１ａ，ｓ３１ｂによってオン／オフが制御される。遮断スイッチＳＷ３１ａ，ＳＷ３１ｂの各々のオン／オフのタイミングは、出力スイッチＳＷ１１と同様である。
【００９１】
＜動作＞
図６に示したディスプレイ駆動回路３０による動作は、図１に示したディスプレイ駆動回路１０と同様である。ここでは、遮断スイッチＳＷ３１ａ，ＳＷ３１ｂに関連する動作について説明する。
【００９２】
〔出力モード〕
出力モードになると、遮断スイッチＳＷ３１ａ，ＳＷ３１ｂはオンになる。また、供給スイッチＳＷ１３ａ，ＳＷ１３ｂはオフになる。供給ノードｎ１４ａは、電源ノードＶｃｃには接続されずに、出力ノードｎ１３ａに接続される。一方、供給ノードｎ１４ｂは、接地ノードＶｓｓには接続されずに、出力ノードｎ１３ｂに接続される。これにより、位相補償容量Ｃ１０３ａは出力ノードｎ１３ａからの電圧を受け、位相補償容量Ｃ１０３ｂは出力ノードｎ１３ｂからの電圧を受ける。
【００９３】
〔遷移モード〕
遷移モードになると、遮断スイッチＳＷ３１ａ，ＳＷ３１ｂはオフになる。また、供給スイッチＳＷ１３ａ，ＳＷ１３ｂはオンになる。供給ノードｎ１４ａは、出力ノードｎ１３ａには接続されずに、電源ノードＶｃｃに接続される。一方、供給ノードｎ１４ｂは、接地ノードＶｓｓには接続されずに、出力ノードｎ１３ｂに接続される。したがって、供給ノードｎ１４ａと出力ノードｎ１３ａとの間には貫通電流（電流経路：Ｖｃｃ→ｎ１４ａ→ｎ１３ａ→１１１ａ→２０１ａ→Ｖｄｄ）が流れない。また、出力ノードｎ１３ｂと供給ノードｎ１４ｂとの間には貫通電流（電流経路：Ｖｃｃ→２０１ｂ→１１１ｂ→ｎ１３ｂ→ｎ１４ｂ→Ｖｓｓ）が流れない。さらに、ノードｎ１５ａとノードｎ１５ｂとの間には貫通電流（電流経路：Ｖｃｃ→ＳＷ１３ａ→ｎ１４ａ→ｎ１３ａ→２０３ａ→１１５ｎ→２０３ｂ→ｎ１３ｂ→ｎ１４ｂ→ＳＷ１３ｂ→Ｖｓｓ）が流れない。
【００９４】
このように、遷移モード時において、貫通電流を遮断することができる。
【００９５】
＜効果＞
以上のように、出力電圧の電圧値を高速に変動させることができるとともに、電力消費を低減することができる。
【００９６】
なお、遮断スイッチＳＷ３１ａ，ＳＷ３１ｂは、図３に示したディスプレイ駆動回路にも適用可能である。
【００９７】
（第４の実施形態）
＜構成＞
図７は、この発明の第４の実施形態によるディスプレイ駆動回路４０の構成を示す。この回路４０は、図１に示したディスプレイ駆動回路１０に加えて、電流制限トランジスタＴ４０１ａ，Ｔ４０１ｂを備える。電流制限トランジスタＴ４０１ａは、電源ノードＶｃｃと駆動トランジスタＴ１０５ａのソースとの間に接続される。電流制限トランジスタＴ４０１ｂは、駆動トランジスタＴ１０５ｂのソースと接地ノードＶｓｓとの間に接続される。電流制限トランジスタＴ４０１ａ，Ｔ４０１ｂのゲートに与えられる電圧ＢＰ４１，ＢＮ４１の電圧値を調整することによって、出力回路に流れる出力電流の電流量を調整することができる。
【００９８】
＜効果＞
以上のように、出力電圧の電圧値を高速に変動させることができるとともに、出力電流の電流量を調整することができる。例えば、出力電流の最大値を『ＩＭＡＸ』としディスプレイパネルの負荷容量を『ＣＬ』とすると、スルーレートは『ＩＭＡＸ／ＣＬ』となる。このように、ディスプレイ駆動回路の立ち上がりの速度または立ち下がりの速度を制御することができ、ディスプレイパネルの特性に応じて駆動能力を調整することができる。
【００９９】
（第４の実施形態の変形例）
また、図８のように、ディスプレイ駆動回路４０が、電流制限トランジスタＴ４０１ａ，Ｔ４０１ｂに代えて、クランプ回路４０２ａ，４０２ｂを備えていても同様の効果を得ることができる。クランプ回路４０２ａは、駆動トランジスタＴ１０５ａのゲートに与えられる電圧ＶＧＰの電圧値を制限する。クランプ回路４０２ｂは、駆動トランジスタＴ１０５ｂのゲートに与えられる電圧ＶＧＮの電圧値を制限する。このように構成すれば、図７の場合よりも、ディスプレイ駆動回路の出力インピーダンスを低く保ちつつディスプレイ駆動回路の立ち上がりの速度または立ち下がりの速度を調整することができる。
【０１００】
図９Ａのように，図８に示したクランプ回路４０２ａ，４０２ｂの各々は、直列に接続された複数のダイオード４１１によって構成することができる。また、図９Ｂのように、クランプ回路４０２ａ，４０２ｂの各々は、直列に接続された複数のダイオード接続型トランジスタ４１２ａ，４１２ｂによって構成しても良い。さらに、図９Ｃのように，クランプ回路４０２ａ，４０２ｂの各々は、所定電圧ＢＮ，ＢＰがゲートに印加されたトランジスタ４１３ａ，４１３ｂによって構成しても構わない。
【０１０１】
なお、図７に示した電流制限トランジスタＴ４０１ａ，Ｔ４０１ｂおよび図８に示したクランプ回路４０２ａ，４０２ｂは、図３，図４，図５，図６に示したディスプレイ駆動回路にも適用可能である。
【０１０２】
（第５の実施形態）
＜構成＞
図１０は、この発明の第５の実施形態によるディスプレイ駆動回路５０の構成を示す。この回路５０は、図１に示した供給スイッチＳＷ１３ａに繋がる電源ノードＶｃｃ，供給スイッチＳＷ１３ｂに繋がる接地ノードＶｓｓに代えて、安定電圧ＶＨを受けるノードｎａと、安定電圧ＶＬを受けるノードｎｂを備える。その他の構成は図１と同様である。
【０１０３】
安定電圧ＶＨの電圧値は、出力モード時（供給スイッチＳＷ１３ａがオフになっているとき）の供給ノードｎ１４ａの電圧の電圧値と等しい。安定電圧ＶＬの電圧値は、出力モード時（供給スイッチＳＷ１３ｂがオフになっているとき）のノードｎ１４ｂの電圧の電圧値と等しい。安定電圧ＶＨ，ＶＬの各々は、電源供給回路５０１によって生成される。
【０１０４】
＜電源供給回路の内部構成＞
図１１Ａのように、電源供給回路５０１は、電源ノードＶｃｃと接地ノードＶｓｓとの間に接続されたラダー抵抗であっても良い。ラダー抵抗のタップ５０１ａの出力は安定電圧ＶＨとして供給される。ラダー抵抗のタップ５０１ｂの出力は安定電圧ＶＬとして出力される。このように構成すれば、抵抗分圧によって安定電圧ＶＨ，ＶＬを生成することができる。
【０１０５】
また、図１１Ｂのように、電源供給回路５０１は、入力端子１０１と、差動増幅部１０２と、位相補償容量Ｃ１０３ａ，Ｃ１０３ｂと、駆動トランジスタＴ１０５ａ，Ｔ１０５ｂと、ボルテージフォロア回路５１１ａ，５１１ｂとを備える構成でも良い。中間ノードｎｃは、出力回路のノードｎｔに接続される。供給ノードｎ１４ａは、ボルテージフォロア回路５１１ａに接続される。供給ノードｎ１４ｂは、ボルテージフォロア回路５１１ｂに接続される。入力端子１０１には、例えば、電圧値「ＶＣＣ／２（ＶＣＣは、電源ノードＶｃｃにおける電圧の電圧値）」を有する電圧が与えられる。ボルテージフォロア回路５１１ａの出力は安定電圧ＶＨとして供給される。ボルテージフォロア回路５１１ｂの出力は安定電圧ＶＬとして供給される。このように電源供給回路５０１を構成すれば、温度変化や電源電圧の変化に対する電源供給回路の強度が増す。
【０１０６】
＜動作＞
図１０に示したディスプレイ駆動回路５０による動作は、図１に示したディスプレイ駆動回路１０と同様である。ここでは、電源供給回路５０１に関連する動作について説明する。
【０１０７】
ここで、供給ノードｎ１４ａ，ｎ１４ｂにおける電圧変動について説明する。出力モード時の供給ノードｎ１４ａにおける電圧の電圧値は、電源ノードＶｃｃの電圧の電圧値よりも少し低い。また、出力モード時の供給ノードｎ１４ｂにおける電圧の電圧値は、接地ノードＶｓｓの電圧の電圧値よりも少し大きい。したがって、遷移モードのときに電源ノードＶｃｃからの電圧が供給ノードｎ１４ａに供給されていると、遷移モードから出力モードになったときに、その電圧値のずれに起因して供給ノードｎ１４ａが充放電される。また、供給ノードｎ１４ｂにおいても同様の現象が生じる。
【０１０８】
本実施形態では、遷移モード時において、供給スイッチＳＷ１３ａがオンになり、位相補償容量Ｃ１０３ａの一方端は、安定電圧ＶＨが供給されたノードｎａに接続される。これにより、出力モード時における供給ノードｎ１４ａの電圧変動が抑制される。また、供給スイッチＳＷ１３ｂがオンになり、位相補償容量Ｃ１０３ｂの一方端は、安定電圧ＶＬが供給されたノードｎｂに接続される。これにより、出力モード時における供給ノードｎ１４ａの電圧変動が抑制される。
【０１０９】
このように、遷移モードから出力モードになったときに生じる位相補償容量Ｃ１０３ａの一方端およびＣ１０３ｂの一方端における電圧変動が抑制されるので、ノードｎ１４ａ，ｎ１４ｂの電圧変動に起因する位相補償容量Ｃ１０３ａ，Ｃ１０３ｂにおける電荷の充放電を抑制することができる。
【０１１０】
＜効果＞
以上のように、遷移モードから出力モードになったときに生じる中間ノードの電圧Ｖｃの変動を抑制することができるので、出力電圧の電圧値をさらに高速に変動させることができる。
【０１１１】
なお、電源供給回路５０１は、図３，４，５，６，７，８に示したディスプレイ駆動回路にも適用可能である。
【０１１２】
（オン／オフのタイミング）
第１〜第５の実施形態において、各スイッチのオン／オフのタイミングは、図２を用いて説明していたが、図１２のように各スイッチをオン／オフしても構わない。例えば、図１のディスプレイ駆動回路１０において、出力スイッチＳＷ１１がオフからオンになる前に、入力スイッチＳＷ１２，供給スイッチＳＷ１３ａ，ＳＷ１３ｂがオンからオフになる。つまり、出力モードになって中間ノード（位相補償容量Ｃ１０３ａとＣ１０３ｂとの接続ノード）ｎｃが出力端子１０４に接続される前に、位相補償容量Ｃ１０３ａの一方端を電源ノードＶｃｃ（またはノードｎａ）から切り離し、位相補償容量Ｃ１０３ｂの一方端を接地ノードＶｓｓ（またはノードｎｂ）から切り離し、中間ノードｎｃから入力端子１０１を切り離す。
【０１１３】
これにより、中間ノードの電圧Ｖｃが出力電圧Ｖｏｕｔとして出力される前に、位相補償容量Ｃ１０３ａの一方端（供給ノードｎ１４ａ），Ｃ１０３ｂの一方端（供給ノードｎ１４ｂ）における電圧変動を抑制することができ、出力電圧の電圧値の変動をさらに高速にすることができる。
【０１１４】
（第６の実施形態）
＜構成＞
図１３は、この発明の第６の実施形態によるディスプレイドライバの構成を示す。このドライバは、２ｎ個（ｎは自然数）のディスプレイ駆動回路６０と、（２ｎ−１）個の分配スイッチＳＷ６０とを備える。このディスプレイドライバは、奇数番目の垂直ラインと偶数番目の垂直ラインとに互いに異なる出力電圧を供給することによって、ディスプレイパネルを駆動する（例えば、ドット反転駆動方式やフレーム反転駆動方式）。
【０１１５】
２ｎ個のディスプレイ駆動回路６０の各々は、そのディスプレイ駆動回路６０に隣接するディスプレイ駆動回路６０に与えられる入力電圧とは極性が異なる入力電圧を受ける。つまり、奇数番目のディスプレイ駆動回路に与えられる入力電圧Ｖｉｎ（１），Ｖｉｎ（３），・・・，Ｖｉｎ（２ｎ−１）の極性が『負極性』であるときには、偶数番目のディスプレイ駆動回路６０に与えられる入力電圧Ｖｉｎ（２），Ｖｉｎ（４），・・・，Ｖｉｎ（２ｎ）の極性は『正極性』である。
【０１１６】
また、２ｎ個のディスプレイ駆動回路６０の各々は、与えられた入力電圧Ｖｉｎ（１），Ｖｉｎ（２），・・・，Ｖｉｎ（２ｎ）に応じて出力電圧Ｖｏｕｔ（１），Ｖｏｕｔ（２），・・・，Ｖｏｕｔ（２ｎ）を出力する。例えば、奇数番目のディスプレイ駆動回路６０から供給される出力電圧Ｖｏｕｔ（２ｎ−１）の極性が『負極性』である場合、偶数番目のディスプレイ駆動回路６０から供給される出力電圧Ｖｏｕｔ（２ｎ）は、『正極性』である。
【０１１７】
２ｎ個の入力電圧Ｖｉｎ（１），Ｖｉｎ（２），・・・，Ｖｉｎ（２ｎ）の各々は、所定のタイミングに従って、極性が反転する。例えば、ドット反転駆動方式の場合には、１水平ライン期間毎に２ｎ個の入力電圧の極性が反転する。なお、ここでは、入力電圧の極性は、遷移モードになると反転するものとする。
【０１１８】
分配スイッチＳＷ６０は、互いに隣接する２つのディスプレイ駆動回路６０の出力端子の間に接続される。分配スイッチＳＷ６０は、出力モードではオフになり、遷移モードではオンになる。つまり、分配スイッチＳＷ６０は、入力電圧Ｖｉｎ（１），Ｖｉｎ（２），・・・，Ｖｉｎ（２ｎ）の各々の極性が反転するときにオンになる。
【０１１９】
例えば、１番目のディスプレイ駆動回路６０は、出力モードでは、２番目のディスプレイ駆動回路６０の出力端子と自己の出力端子とが非接続になる一方、入力電圧Ｖｉｎ（１）に応じて出力電圧Ｖｏｕｔ（１）を出力する。また、１番目のディスプレイ駆動回路６０は、遷移モードでは、自己の出力端子と２番目のディスプレイ駆動回路の出力端子とが接続される一方、与えられる入力電圧Ｖｉｎ（１）の極性が反転する。
【０１２０】
＜ディスプレイ駆動回路の構成＞
図１４は、図１３に示したディスプレイ駆動回路６０の構成を示す。なお、ここでは、入力電圧を『Ｖｉｎ』，容量電圧を『Ｖｃ』，出力電圧を『Ｖｏｕｔ』と示す。この回路６０は、図１に示した入力スイッチＳＷ１１に代えて、接続スイッチＳＷ６１を備える。接続スイッチＳＷ６１は、中間ノードｎｃと出力端子１０４との間に接続される。接続スイッチＳＷ６１は、例えば、制御回路（図示せず）からの制御信号ｓ６１によってオン／オフが制御される。接続スイッチＳＷ６１のオン／オフのタイミングは、図１に示した入力スイッチＳＷ１２と同様である。
【０１２１】
＜動作＞
図１５を参照しつつ、図１４に示したディスプレイ駆動回路６０による動作について説明する。なお、図１５には、（２ｎ−１）番目のディスプレイ駆動回路における入力電圧Ｖｉｎ（２ｎ−１），容量電圧Ｖｃ（２ｎ−１），および出力電圧Ｖｏｕｔ（２ｎ−１）の変化の様子と、（２ｎ）番目のディスプレイ駆動回路における入力電圧Ｖｉｎ（２ｎ），容量電圧Ｖｃ（２ｎ），および出力電圧Ｖｏｕｔ（２ｎ）の変化の様子とが示されている。
【０１２２】
〔出力モード〕
まず、ディスプレイ駆動回路６０が『出力モード』であるとする。この場合、出力スイッチＳＷ６１，接続スイッチＳＷ１４はオンであり、接続スイッチＳＷ６１，供給スイッチＳＷ１３ａ，ＳＷ１３ｂはオフである。中間ノードｎｃには、入力電圧Ｖｉｎに応じた電圧値を有する電圧（容量電圧）Ｖｃが発生しており、出力端子１０４からは入力電圧Ｖｉｎに応じた電圧値を有する出力電圧Ｖｏｕｔが出力されている。なお、ここで、入力電圧Ｖｉｎ（２ｎ−１），出力電圧Ｖｏｕｔ（２ｎ−１）は正極性であり、入力電圧Ｖｉｎ（２ｎ），出力電圧Ｖｏｕｔ（２ｎ）は負極性である。
【０１２３】
〔遷移モード〕
次に、ディスプレイ駆動回路６０が『遷移モード』になる。この場合、ディスプレイドライバでは分配スイッチＳＷ６０がオンになり、２ｎ個のディスプレイ駆動回路６０の各々の出力端子は互いに接続されて、各々の出力端子に蓄積された電荷が分配される。
【０１２４】
この電荷分配によって、例えば、（２ｎ−１）番目のディスプレイ駆動回路の出力端子１０４は放電されて、出力電圧Ｖｏｕｔ（２ｎ−１）の電圧値が中間値へ下降する。一方、（２ｎ）番目のディスプレイ駆動回路の出力端子１０４は充電されて、出力電圧Ｖｏｕｔ（２ｎ）の電圧値が中間値へ上昇する。このように、各々の出力電圧の電圧値は、中間値になる。
【０１２５】
また、２ｎ個のディスプレイ駆動回路６０の各々において、出力スイッチＳＷ１１，接続スイッチＳＷ１４はオフになり、接続スイッチＳＷ６１，供給スイッチＳＷ１３ａ，ＳＷ１３ｂはオンになる。また、入力端子１０１には、極性が反転された新たな入力電圧Ｖｉｎが与えられる。ここでは、入力電圧Ｖｉｎ（２ｎ−１）は負極性になり、入力電圧Ｖｉｎ（２ｎ）は正極性になる。
【０１２６】
このとき、供給ノードｎ１４ａが電源ノードＶｃｃに接続されて、位相補償容量Ｃ１０３ａの一方端は電源ノードＶｃｃからの電圧を受ける。また、供給ノードｎ１４ｂが接地ノードＶｓｓに接続されて、位相補償容量Ｃ１０３ｂの一方端は接地ノードＶｓｓからの電圧を受ける。さらに、中間ノードｎｃが出力端子１０４に接続されて、位相補償容量Ｃ１０３ａ，Ｃ１０３ｂは出力端子１０４の出力電圧Ｖｏｕｔ（中間値）を受ける。
【０１２７】
位相補償容量Ｃ１０３ａ，Ｃ１０３ｂの各々は、出力電圧Ｖｏｕｔの電圧値に応じて、電荷を充放電する。この電荷の充放電に応じて、中間ノードｎｃにおける容量電圧Ｖｃの電圧値は変動する。ここで、電源ノードＶｃｃ，接地ノードＶｓｓからの電圧はインピーダンスが低いので、位相補償容量Ｃ１０３ａ，１０３ｂにおける電荷の充放電速度は、出力モード時よりも高速である。したがって、中間ノードｎｃと出力端子１０４との間における電荷の移動を素早くすることができる。つまり、容量電圧Ｖｃの電圧値を出力電圧Ｖｏｕｔの電圧値（中間値）へ高速に変動させることができる。また、中間ノードｎｃと出力端子１０４とが接続されているので、容量電圧Ｖｃの電圧値と出力電圧Ｖｏｕｔの電圧値とが等しくなる。
【０１２８】
〔出力モード〕
次に、ディスプレイ駆動回路１０が『遷移モード』から『出力モード』になる。この場合、出力スイッチＳＷ１１，接続スイッチＳＷ１４がオンになり、接続スイッチＳＷ６１，供給スイッチＳＷ１３ａ，ＳＷ１３ｂがオフになる。
【０１２９】
中間ノードｎｃは、接続スイッチＳＷ１４，出力回路のノードｎｔ，出力スイッチＳＷ１１を介して、出力端子１０４に接続される。ここで、出力端子１０４の出力電圧Ｖｏｕｔの電圧値は中間ノードｎｃの容量電圧Ｖｃの電圧値と等しいので、出力電圧Ｖｏｕｔと容量電圧Ｖｃとの電圧差に起因する出力端子１０４の充放電は生じない。よって、出力電圧Ｖｏｕｔの電圧値は、ディスプレイ駆動回路の動作速度に応じて、中間電圧の電圧値から目標値へ変動していく。例えば、出力モードでは、出力電圧Ｖｏｕｔ（２ｎ−１）の電圧値は『中間値』から『目標値（２ｎ−１）』へ下降し、出力電圧Ｖｏｕｔ（２ｎ）の電圧値は『中間値』から『目標値（２ｎ）』へ上昇する。
【０１３０】
このように、遷移モード時において、中間ノードｎｃと出力端子１０４とを接続して容量電圧Ｖｃの電圧値を中間値に高速に変動させることにより、出力電圧Ｖｏｕｔの電圧値が目標値に達するまでの時間を短縮することができる。
【０１３１】
＜効果＞
以上のように、テール電流を増加したり位相補償容量の容量値を減少させることなく、出力電圧の電圧値を高速に変動させることができる。
【０１３２】
また、遷移モードから出力モードに切り替わるときに、出力端子における電荷の充放電が生じないので、分配された電荷を有効に再利用することができる。これにより、消費電力を低減することができる。
【０１３３】
さらに、出力端子において瞬間的な大電流が流れないので、ＥＭＩを低減することができる。
【０１３４】
（第６の実施形態の変形例）
また、図１６のように、ディスプレイ駆動回路６０が、図１４に示した接続スイッチＳＷ６１に代えて、図３に示した接続スイッチＳＷ１５ａ，ＳＷ１５ｂを備えていても同様の効果を得ることができる。
【０１３５】
また、図１４に示したディスプレイ駆動回路１０において、接続スイッチＳＷ１５ａを電源ノードＶｃｃと駆動トランジスタＴ１０５ａとの間に接続し、接続スイッチＳＷ１５ｂを駆動トランジスタＴ１０５ｂと接地ノードＶｓｓとの間に接続しても同様の効果を得ることができる。さらに、図１４に示したディスプレイ駆動回路１０において、接続スイッチＳＷ１５ａをノードｎ１５ａと駆動トランジスタＴ１０５ａのゲートとの間に接続し、接続スイッチＳＷ１５ｂをノードｎ１５ｂと駆動トランジスタＴ１０５ｂのゲートとの間に接続しても同様の効果を得ることができる。つまり、遷移モード時において、駆動トランジスタＴ１０５ａ，Ｔ１０５ｂの接続状態をソース，ドレイン，ゲートのうち少なくとも１つが非接続である状態にすれば良い。
【０１３６】
（第７の実施形態）
＜構成＞
図１７は、この発明の第７の実施形態によるディスプレイ駆動回路７０の構成を示す。この回路７０は、図１４に示した出力スイッチＳＷ１１，接続スイッチＳＷ１４，ＳＷ６１に代えて、図４に示した接続スイッチＳＷ２１を備える。その他の構成は図１４と同様である。
【０１３７】
＜動作＞
図１７に示したディスプレイ駆動回路７０による動作は、図１４に示したディスプレイ駆動回路６０と同様である。また、接続スイッチＳＷ２１に関連する動作も、図４の場合と同様である。
【０１３８】
〔出力モード〕
出力モードでは、接続スイッチＳＷ２１はオンになり、駆動トランジスタＴ１０５ａ，Ｔ１０５ｂの各々は活性化するので、出力回路にはアイドリング電流が流れる。
【０１３９】
〔遷移モード〕
遷移モードでは、接続スイッチＳＷ２１はオフになり、駆動トランジスタＴ１０５ａ，Ｔ１０５ｂの各々は非活性化するので、出力回路にはアイドリング電流が流れない。
【０１４０】
＜効果＞
以上のように、出力電圧の電圧値を高速に変動させることができるとともに、電力消費を低減することができる。また、図１４，図１６に示したディスプレイ駆動回路１０と比較すると、スイッチの個数を少ないので、回路規模を低減することができる。
【０１４１】
（第７の実施形態の変形例）
また、図１８のように、ディスプレイ駆動回路７０が、接続スイッチＳＷ２１に代えて、図５に示した接続トランジスタＳＷ２２ｎ，ＳＷ２２ｐを備えていても同様の効果を得ることができる。このように構成すれば、図５の場合と同様に、接続トランジスタ１１５ｎ，１１５ｐの各々のソース−ゲート間電圧を、接続トランジスタＳＷ２２ｎ，ＳＷ２２ｐが接続されていない場合（例えば、図１４の場合）と、等しくすることができる。これにより、差動増幅部１０２の動作点のずれを抑制することができる。
【０１４２】
（第８の実施形態）
＜構成＞
図１９は、この発明の第８の実施形態によるディスプレイ駆動回路８０の構成を示す。この回路８０は、図１６に示したディスプレイ駆動回路６０に加えて、図６に示したスイッチＳＷ３１ａ，ＳＷ３１ｂを備える。
【０１４３】
＜動作＞
図１９に示したディスプレイ駆動回路８０による動作は、図１６に示したディスプレイ駆動回路６０と同様である。また、スイッチＳＷ３１ａ，ＳＷ３１ｂに関連する動作も、図６の場合と同様である。
【０１４４】
〔出力モード〕
出力モードになると、スイッチＳＷ３１ａ，ＳＷ３１ｂはオンになる。また、供給スイッチＳＷ１３ａ，ＳＷ１３ｂはオンになる。これにより、位相補償容量Ｃ１０３ａは出力ノードｎ１３ａからの電圧を受け、位相補償容量Ｃ１０３ｂは出力ノードｎ１３ｂからの電圧を受ける。
【０１４５】
〔遷移モード〕
遷移モードになると、スイッチＳＷ３１ａ，ＳＷ３１ｂはオフになる。また、供給スイッチＳＷ１３ａ，ＳＷ１３ｂはオンになる。これにより、ノードｎ１４ａと出力ノードｎ１３ａとの間および出力ノードｎ１３ｂとノードｎ１４ｂとの間には貫通電流が流れない。
【０１４６】
＜効果＞
以上のように、出力電圧の電圧値を高速に変動させることができるとともに、電力消費を低減することができる。なお、スイッチＳＷ３１ａ，ＳＷ３１ｂは、図１４に示したディスプレイ駆動回路にも適用可能である。
【０１４７】
（第９の実施形態）
＜構成＞
図２０は、この発明の第９の実施形態によるディスプレイドライバの構成を示す。このドライバは、図１３に示した２ｎ個のディスプレイ駆動回路６０に代えて、２ｎ個のディスプレイ駆動回路９０を備え、図１０に示した電源供給回路５０１をさらに備える。その他の構成は、図１３と同様である。ディスプレイ駆動回路９０の各々は、電源供給回路５０１からの安定電圧ＶＨ，ＶＬを受ける。
【０１４８】
＜ディスプレイ駆動回路の構成＞
図２１は、図２０に示したディスプレイ駆動回路９０の構成を示す。この回路９０は、図１６に示した供給スイッチＳＷ１３ａに繋がる電源ノードＶｃｃ，供給スイッチＳＷ１３ｂに繋がる接地ノードＶｓｓに代えて、図１０に示したノードｎａ，ｎｂを備える。その他の構成は図１６と同様である。
【０１４９】
＜動作＞
図２１に示したディスプレイ駆動回路９０による動作は、図１６に示したディスプレイ駆動回路６０と同様である。また、電源供給回路５０１に関連する動作も図１０と同様である。
【０１５０】
遷移モード時において、ノードｎａからの安定電圧ＶＨが供給ノードｎ１４ａに供給されることによって、遷移モードから出力モードへ移行したときに供給ノードｎ１４ａにおける電圧変動が抑制される。また、ノードｎｂからの安定電圧ＶＬが供給ノードｎ１４ｂに供給されることによって、遷移モードから出力モードへ移行したときに供給ノードｎ１４ｂにおける電圧変動が抑制される。これにより、位相補償容量Ｃ１０３ａ，Ｃ１０３ｂにおける電荷の充放電をさらに高速にすることができる。
【０１５１】
＜効果＞
以上のように、中間ノードの電圧Ｖｃの電圧値をさらに高速に変動させることができるので、出力電圧の電圧値をさらに高速に変動させることができる。なお、電源供給回路５０１は、図１４，図１７，図１８，図１９に示したディスプレイ駆動回路にも適用可能である。
【０１５２】
（オン／オフのタイミング）
第６〜第９の実施形態において、各スイッチのオン／オフのタイミングは、図１５を用いて説明していたが、図２２のように各スイッチをオン／オフしても構わない。例えば、図１４のディスプレイ駆動回路において、分配スイッチＳＷ６０がオンからオフになる前に、接続スイッチＳＷ６１，供給スイッチＳＷ１３ａ，ＳＷ１３ｂがオンからオフになる。つまり、分配スイッチＳＷ６０による電荷再分配が終了する前に、位相補償容量Ｃ１０３ａの一方端を電源ノードＶｃｃ（またはノードｎａ）から切り離し、位相補償容量Ｃ１０３ｂの一方端を接地ノードＶｓｓ（またはノードｎｂ）から切り離す。これにより、出力モードになって分配スイッチＳＷ６０がオフになったときに、位相補償容量Ｃ１０３ａの一方端（供給ノードｎ１４ａ），Ｃ１０３ｂの一方端（供給ノードｎ１４ｂ）における電圧が安定しているので、出力電圧の電圧値の変動をさらに高速にすることができる。
【０１５３】
なお、以上の各実施形態の説明では、ディスプレイ駆動回路の差動増幅部１０２は、２入力２出力であるが、２入力１出力の差動増幅部であっても同様の効果を得ることができる。例えば、図２３のように、ディスプレイ駆動回路１０Ａが、入力端子１０１と、２入力１出力の差動増幅部１０２Ａと、１つの位相補償容量Ｃ１０３ｂと、出力端子１０４と、駆動トランジスタＴ１０５ａ，Ｔ１０５ｂと、出力スイッチＳＷ１１と、入力スイッチＳＷ１２と、１つの供給スイッチＳＷ１３ｂと、接続スイッチＳＷ１４とを備えていても良い。また、図２４のように、ディスプレイ駆動回路６０Ａが、入力端子１０１と、２入力１出力の差動増幅部１０２Ａと、１つの位相補償容量Ｃ１０３ｂと、出力端子１０４と、駆動トランジスタＴ１０５ａ，Ｔ１０５ｂと、出力スイッチＳＷ１１と、１つの供給スイッチＳＷ１３ｂと、接続スイッチＳＷ１４，ＳＷ６１とを備えていても良い。なお、図２３，図２４では、いずれの差動増幅部も、ＮＭＯＳ型トランジスタによって構成されているが、ＰＭＯＳ型トランジスタで構成することも、当然、可能である。
【０１５４】
以上の各実施形態において、各スイッチの構成は、ＰＭＯＳ型トランジスタ，ＮＭＯＳ型トランジスタ，ＣＭＯＳ型トランスファーゲートのいずれであっても良い。また、供給スイッチＳＷ１３ａの一方端には電源ノードＶｃｃに代えて定電流源が接続されていても良いし，供給スイッチＳＷ１３ｂの一方端には接地ノードＶｓｓに代えて定電流源が接続されていても良い。
【０１５５】
また、供給スイッチＳＷ１３ａ，ＳＷ１３ｂに代えて、駆動状態と停止状態とを切替可能な定電流源がノードｎ１４ａ，ｎ１４ｂに接続されていても良い。この場合、これらの定電流源は、出力モードでは停止状態になり、遷移モードでは駆動状態になる。
【産業上の利用可能性】
【０１５６】
本発明は、出力電圧の電圧値を高速に変動させることができるので、液晶パネルのディスプレイパネルを駆動するディスプレイ駆動回路等として有用である。
【図面の簡単な説明】
【０１５７】
【図１】図１は、この発明の第１の実施形態によるディスプレイ駆動回路の構成を示す回路図である。
【図２】図２は、図１に示したディスプレイ駆動回路による動作について説明するためのタイミングチャートである。
【図３】図３は、図１に示したディスプレイ駆動回路の変形例を示す回路図である。
【図４】図４は、この発明の第２の実施形態によるディスプレイ駆動回路の構成を示す回路図である。
【図５】図５は、図４に示したディスプレイ駆動回路の変形例を示す回路図である。
【図６】図６は、この発明の第３の実施形態によるディスプレイ駆動回路の構成を示す回路図である。
【図７】図７は、この発明の第４の実施形態によるディスプレイ駆動回路の構成を示す回路図である。
【図８】図８は、図７に示したディスプレイ駆動回路の変形例を示す回路図である。
【図９】図９Ａ，図９Ｂ，図９Ｃは、図８に示したクランプ回路の構成例を示す回路図である。
【図１０】図１０は、この発明の第５の実施形態によるディスプレイ駆動回路の構成を示す回路図である。
【図１１Ａ】図１１Ａは、図１０に示した電源供給回路の構成例を示す回路図である。
【図１１Ｂ】図１１Ｂは、図１０に示した電源供給回路の構成例を示す回路図である。
【図１２】図１２は、各スイッチのオン／オフ動作の一例を説明するためのタイミングチャートである。
【図１３】図１３は、この発明の第６の実施形態によるディスプレイドライバの構成を示す回路図である。
【図１４】図１４は、図１３に示したディスプレイ駆動回路の構成を示す回路図である。
【図１５】図１５は、図１４に示したディスプレイ駆動回路による動作について説明するためのタイミングチャートである。
【図１６】図１６は、図１４に示したディスプレイ駆動回路の変形例を示す回路図である。
【図１７】図１７は、この発明の第７の実施形態によるディスプレイ駆動回路の構成を示す回路図である。
【図１８】図１８は、図１７に示したディスプレイ駆動回路の変形例を示す回路図である。
【図１９】図１９は、この発明の第８の実施形態によるディスプレイ駆動回路の構成を示す回路図である。
【図２０】図２０は、この発明の第９の実施形態によるディスプレイドライバの構成を示す回路図である。
【図２１】図２１は、図２０に示したディスプレイ駆動回路の構成を示す回路図である。
【図２２】図２２は、各スイッチのオン／オフ動作の一例を説明するためのタイミングチャートである。
【図２３】図２３は、図１に示したディスプレイ駆動回路の変形例を示す回路図である。
【図２４】図２４は、図１４に示したディスプレイ駆動回路の変形例を示す回路図である。
【図２５】図２５は、従来のディスプレイ駆動回路による動作について説明するためのタイミングチャートである。
【図２６】図２６は、従来の電荷分配型ディスプレイ駆動回路による動作について説明するためのタイミングチャートである。
【符号の説明】
【０１５８】
（10,20,30,40,50,60,70,80,90）  ディスプレイ駆動回路
（101）  入力端子
（102）  差動増幅部
（C103a,C103b）  位相補償容量
（104）  出力端子
（T105a,T105b）  駆動トランジスタ
（SW11）  出力スイッチ
（SW12）  入力スイッチ
（SW13a,SW13b）  供給スイッチ
（SW14,SW15a,SW15b,SW21,SW61）  接続スイッチ
（SW22n,SW22p）  接続トランジスタ
（SW31a,SW31b）  遮断スイッチ
（T401a,T401b）  電流制限トランジスタ
（402a,402b）  クランプ回路
（501）  電源供給回路
（SW60）  分配スイッチ
【図１】
0004927712.tif 000002
【図２】
0004927712.tif 000003
【図３】
0004927712.tif 000004
【図４】
0004927712.tif 000005
【図５】
0004927712.tif 000006
【図６】
0004927712.tif 000007
【図７】
0004927712.tif 000008
【図８】
0004927712.tif 000009
【図９】
0004927712.tif 000010
【図１０】
0004927712.tif 000011
【図１１Ａ】
0004927712.tif 000012
【図１１Ｂ】
0004927712.tif 000013
【図１２】
0004927712.tif 000014
【図１３】
0004927712.tif 000015
【図１４】
0004927712.tif 000016
【図１５】
0004927712.tif 000017
【図１６】
0004927712.tif 000018
【図１７】
0004927712.tif 000019
【図１８】
0004927712.tif 000020
【図１９】
0004927712.tif 000021
【図２０】
0004927712.tif 000022
【図２１】
0004927712.tif 000023
【図２２】
0004927712.tif 000024
【図２３】
0004927712.tif 000025
【図２４】
0004927712.tif 000026
【図２５】
0004927712.tif 000027
【図２６】
0004927712.tif 000028